(57)【特許請求の範囲】
【請求項１】
ワイヤレス通信の方法であって、
モバイルデバイスにおいて基地局からの送信を受信することと、
前記送信を復号することと
を備え、前記送信は、基地局からのサブフレームの、少なくとも第１のシンボルにおけるデータ送信を含み、前記第１のシンボルは、前記サブフレームの先頭の最初のサブフレームシンボルであり、前記データ送信は、少なくとも前記第１のシンボルにおいてレガシ制御送信と多重化される、
方法。
【請求項２】
前記第１のシンボルは、レガシ制御情報を含み、
前記レガシ制御送信との前記データ送信の前記多重化は、少なくとも前記第１のシンボルにおける前記レガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、請求項１に記載の方法。
【請求項３】
前記基地局からのインジケーションを受信することをさらに備え、
前記インジケーションは、前記データ送信が前記サブフレームの少なくとも前記第１のシンボルにおいて送られることを識別する、
請求項１に記載の方法。
【請求項４】
前記インジケーションを前記受信することは、
準静的に、
動的に、または
これらの組み合わせ
のうちの１つで行われる、請求項３に記載の方法。
【請求項５】
前記データ送信との前記多重化されたレガシ制御送信の生成は、ユニキャストデータ送信についてのみ行われる、
請求項１に記載の方法。
【請求項６】
前記レガシ制御送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを備える、請求項１に記載の方法。
【請求項７】
前記データ送信との前記レガシ制御送信の前記多重化は、少なくとも前記第１のシンボルにおいて前記データ送信に関連付けられた１つまたは複数のリソースエレメントをパンクチャリングすることと、前記１つまたは複数のパンクチャリングされたリソースエレメントにおいて前記レガシ制御送信の少なくとも一部分をスケジューリングすることとを備える、
請求項１に記載の方法。
【請求項８】
前記データ送信との前記レガシ制御送信の前記多重化は、前記レガシ制御送信の少なくとも一部分がスケジューリングされるための少なくとも前記第１のシンボルのリソースエレメントのセットの周囲で前記データ送信をレートマッチングすることを備える、
請求項１に記載の方法。
【請求項９】
前記データ送信との前記レガシ制御送信の前記多重化は、サブフレームのサブセットについてのみ行われる、
請求項８に記載の方法。
【請求項１０】
ワイヤレス通信の方法であって、
送信を生成すること、ここにおいて、前記送信は、サブフレームを含み、前記サブフレームの第１の部分は、レガシ制御情報に割り振られ、前記第１の部分は、少なくとも第１のシンボルを含み、前記第１のシンボルは、前記サブフレームの先頭の最初のサブフレームシンボルである、と、
少なくとも前記第１のシンボルにおいてデータを多重化すること、ここにおいて、前記データは、レガシ制御情報を含まない、と、
基地局からモバイルデバイスに前記送信を送ることと
を備える、方法。
【請求項１１】
前記第１のシンボルは、レガシ制御情報を含み、
前記多重化することは、前記第１のシンボルにおけるレガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、請求項１０に記載の方法。
【請求項１２】
前記送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを含む、請求項１０に記載の方法。
【請求項１３】
前記多重化することは、
前記レガシ制御情報の少なくとも一部分の送信のために、少なくとも前記第１のシンボルにおいて前記送信に関連付けられた１つまたは複数のリソースエレメントをパンクチャリングすることを備える、
請求項１０に記載の方法。
【請求項１４】
前記送信を前記送ることは、
前記レガシ制御情報の少なくとも一部分のために確保された前記少なくとも第１のシンボルのリソースエレメントのセットの周囲で前記データ送信をスケジューリングすることを備える、
請求項１０に記載の方法。
【請求項１５】
確保は、サブフレームのサブセットについてのみ行われる、
請求項１４に記載の方法。
【請求項１６】
前記基地局が、前記モバイルデバイスへのインジケーションを送信することをさらに備え、
前記インジケーションは、前記データ送信が前記サブフレームの前記第１のシンボルにおいて送られることを識別する、請求項１０に記載の方法。
【請求項１７】
ワイヤレス通信のために構成された装置であって、前記装置は、
少なくとも１つのプロセッサと、
前記少なくとも１つのプロセッサに結合されたメモリと
を備え、前記少なくとも１つのプロセッサは、
モバイルデバイスにおいて基地局からの送信を受信することと、
前記送信を復号することと
を行うように構成され、前記送信は、基地局からのサブフレームの少なくとも第１のシンボルにおけるデータ送信を含み、前記第１のシンボルは、前記サブフレームの先頭の最初のサブフレームシンボルであり、前記データ送信は、少なくとも前記第１のシンボルにおけるレガシ制御送信と多重化される、
装置。
【請求項１８】
前記第１のシンボルは、レガシ制御情報を含み、
前記レガシ制御送信との前記データ送信の前記多重化は、少なくとも前記第１のシンボルにおける前記レガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、請求項１７に記載の装置。
【請求項１９】
前記基地局からのインジケーションを受信するための前記少なくとも１つのプロセッサの構成をさらに備え、前記インジケーションは、前記データ送信が前記サブフレームの少なくとも前記第１のシンボルにおいて送られることを識別する、
請求項１７に記載の装置。
【請求項２０】
前記インジケーションを受信するための前記少なくとも１つのプロセッサの前記構成は、
準静的に、
動的に、または
これらの組み合わせ
のうちの１つで行われる、請求項１９に記載の装置。
【請求項２１】
前記データ送信との前記多重化されたレガシ制御送信の生成は、ユニキャストデータ送信についてのみ行われる、
請求項１７に記載の装置。
【請求項２２】
前記レガシ制御送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを備える、請求項１７に記載の装置。
【請求項２３】
前記データ送信との前記レガシ制御送信の前記多重化は、少なくとも前記第１のシンボルにおいて前記データ送信に関連付けられた１つまたは複数のリソースエレメントをパンクチャリングすることと、前記１つまたは複数のパンクチャリングされたリソースエレメントにおいて前記レガシ制御送信の少なくとも一部分をスケジューリングすることとを備える、
請求項１７に記載の装置。
【請求項２４】
前記データ送信との前記レガシ制御送信の前記多重化は、前記レガシ制御送信の少なくとも一部分がスケジューリングされるための少なくとも前記第１のシンボルのリソースエレメントのセットの周囲で前記データ送信をレートマッチングすることを備える、
請求項１７に記載の装置。
【請求項２５】
前記データ送信との前記レガシ制御送信の前記多重化は、サブフレームのサブセットについてのみ行われる、
請求項２４に記載の装置。
【請求項２６】
ワイヤレス通信のために構成された装置であって、前記装置は、
少なくとも１つのプロセッサと、
前記少なくとも１つのプロセッサに結合されたメモリと
を備え、前記少なくとも１つのプロセッサは、
送信を生成すること、ここにおいて、前記送信は、サブフレームを含み、前記サブフレームの第１の部分は、レガシ制御情報に割り振られ、前記第１の部分は、前記サブフレームの少なくとも第１のシンボルを含み、前記第１のシンボルは、前記サブフレームの先頭の最初のサブフレームシンボルである、と、
少なくとも前記第１のシンボルにおいてデータを多重化すること、ここにおいて、前記データは、レガシ制御情報を含まない、と、
基地局からモバイルデバイスに前記送信を送ることと
を行うように構成される、装置。
【請求項２７】
前記第１のシンボルは、レガシ制御情報を含み、
多重化するための前記少なくとも１つのプロセッサの前記構成は、前記第１のシンボルにおけるレガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化するための構成を備える、請求項２６に記載の装置。
【請求項２８】
多重化するための前記少なくとも１つのプロセッサの前記構成は、前記レガシ制御情報の少なくとも一部分の送信のために、少なくとも前記第１のシンボルにおいて前記送信に関連付けられた１つまたは複数のリソースエレメントをパンクチャリングするための構成を備える、
請求項２６に記載の装置。
【請求項２９】
前記送信を送るための前記少なくとも１つのプロセッサの前記構成は、前記レガシ制御情報の少なくとも一部分のために確保された前記少なくとも第１のシンボルのリソースエレメントのセットの周囲で前記送信をスケジューリングするための構成を備える、
請求項２６に記載の装置。
【請求項３０】
前記基地局が、前記モバイルデバイスへのインジケーションを送信するための前記少なくとも１つのプロセッサの構成をさらに備え、前記インジケーションは、前記送信が前記サブフレームの前記第１のシンボルにおいて送られることを識別する、
請求項２６に記載の装置。
【発明の詳細な説明】
【関連出願の相互参照】
【０００１】
[0001]本願は、２０１３年５月８日に出願され、「ENHANCED PDSCH OPERATION」と題された、米国特許仮出願番号第６１／８２１，１３８号の優先権を主張し、その内容は、全体として参照により本明細書に明示的に組み込まれている。
【技術分野】
【０００２】
[0002]本開示の態様は、一般に、ワイヤレス通信システムに関し、より具体的には、強化された物理ダウンリンク共有チャネル動作に関する。
【背景技術】
【０００３】
[0003]ワイヤレス通信ネットワークは、音声、ビデオ、パケットデータ、メッセージング、ブロードキャストなどのような、様々な通信サービスを提供するために広く展開されている。これらのワイヤレスネットワークは、利用可能なネットワークリソースを共有することによって、複数のユーザをサポートすることができる多元接続ネットワークであり得る。通常は多元接続ネットワークであるこのようなネットワークは、利用可能なネットワークリソースを共有することによって複数のユーザのための通信をサポートする。このようなネットワークの一例は、ユニバーサルテレストリアルラジオアクセスネットワーク（ＵＴＲＡＮ）である。ＵＴＲＡＮは、ユニバーサルモバイルテレコミュニケーションシステム（ＵＭＴＳ）の一部として定義された無線接続ネットワーク（ＲＡＮ）であり、第３世代パートナーシッププロジェクト（３ＧＰＰ）によってサポートされる第３世代（３Ｇ）モバイル電話技術である。多元接続ネットワークフォーマットの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、および単一キャリアＦＤＭＡ（ＳＣ−ＦＤＭＡ）ネットワークを含む。
【０００４】
[0004]ワイヤレス通信ネットワークは、多数のユーザ機器（ＵＥ）のための通信をサポートすることができる多数の基地局またはノードＢを含み得る。ＵＥは、ダウンリンクおよびアップリンクを介して基地局と通信し得る。ダウンリンク（すなわち、順方向リンク）は、基地局からＵＥへの通信リンクを指し、アップリンク（すなわち、逆方向リンク）は、ＵＥから基地局への通信リンクを指す。
【０００５】
[0005]基地局は、ＵＥにダウンリンク上のデータおよび制御情報を送信し得る、および／またはＵＥからアップリンク上のデータおよび制御情報を受信し得る。ダウンリンクにおいて、基地局からの送信は、近隣の基地局からの、または他のワイヤレス無線周波数（ＲＦ）送信機からの送信に起因する干渉に遭遇し得る。アップリンクにおいて、ＵＥからの送信は、近隣の基地局と通信する他のＵＥのアップリンク送信からの、または他のワイヤレスＲＦ送信機からの干渉に遭遇し得る。この干渉は、ダウンリンクおよびアップリンクの両方で性能を劣化させ得る。
【０００６】
[0005]モバイルブロードバンド接続に対する需要が増加し続けるにつれて、長距離ワイヤレス通信ネットワークにアクセスするより多くのＵＥや、コミュニティで展開されているより多くの短距離ワイヤレスシステムとともに、干渉およびネットワーク混雑の可能性が高まっている。モバイルブロードバンドアクセスに対する高まる需要を満足させるためだけでなく、モバイル通信でのユーザ経験を向上および増加させるために、研究開発はＵＭＴＳ技術を向上させ続けている。
【発明の概要】
【０００７】
[0007]本開示の様々な態様は、ＰＤＳＣＨおよび／またはＥＰＤＣＣＨが、データ送信と多重化されたレガシ制御情報を用いてまたは用いずに、第１のシンボルにおいて送信され得る、強化されたデータ送信動作に向けられる。様々な態様に従って動作する基地局は、第１のシンボル期間において、このようなＰＤＳＣＨ／ＥＰＤＣＣＨが送信されるときを識別する、関連するモバイルデバイスにインジケータを送信し得る。ＵＥは、多重化されたデータ送信を受信し、いずれかの多重化されたレガシ制御情報とともに適切なＰＤＳＣＨ／ＥＰＤＣＣＨ送信を復号する。
【０００８】
[0008]開示の１つの態様は、送信を生成することと、送信の第１のシンボル持続期間においてデータを多重化することと、基地局からモバイルデバイスに送信を送ることと、を含む、ワイヤレス通信の方法に関する。送信は、サブフレームを含み、サブフレームの第１の部分は、レガシ制御情報に割り振られる。この第１の部分は、少なくとも第１のシンボル持続期間を含む。多重化されたデータは、レガシ制御情報を含まない。
【０００９】
[0009]開示のさらなる態様は、モバイルデバイスにおいて基地局からの送信で受信することと、送信を復号することと、を含む、ワイヤレス通信の方法に関する。送信は、基地局からのサブフレームの少なくとも第１のシンボルにおけるデータを含む。このデータ送信は、少なくとも第１のシンボルにおいてレガシ制御送信と多重化される。
【００１０】
[0010]開示のさらなる態様は、送信を生成するための手段を含む、ワイヤレス通信のために構成された装置に関する。送信は、サブフレームを含み、サブフレームの第１の部分は、レガシ制御情報に割り振られる。サブフレームの第１の部分は、少なくとも第１のシンボル持続期間を含む。装置はまた、第１のシンボル持続期間においてデータを多重化するための手段を含む。このデータは、レガシ制御情報を含まない。装置はさらに、基地局からモバイルデバイスに送信を送るための手段を含む。
【００１１】
[0011]開示のさらなる態様は、モバイルデバイスにおいて基地局からの送信で受信するための手段と、送信を復号するための手段と、を含む、ワイヤレス通信のために構成された装置に関する。送信は、基地局からのサブフレームの少なくとも第１のシンボルにおけるデータを含む。このデータ送信は、少なくとも第１のシンボルでのレガシ制御送信と多重化される。
【００１２】
[0012]開示のさらなる態様は、プログラムコードを記憶した非一時的なコンピュータ読取可能媒体を含むワイヤレスネットワークにおけるワイヤレス通信のためのコンピュータプログラム製品に関する。プログラムコードは、コンピュータに送信を生成させるためのコードを含む。この送信は、サブフレームを含み、サブフレームの第１の部分は、レガシ制御情報に割り振られる。第１の部分は、コンピュータに第１のシンボル持続期間においてデータを多重化させるための少なくとも第１のシンボル持続期間を含む。このデータは、レガシ制御情報を含まない。プログラムコードはまた、基地局からモバイルデバイスへの送信を、コンピュータに送らせるためのコードを含む。
【００１３】
[0013]開示のさらなる態様は、プログラムコードを記憶した非一時的なコンピュータ読取可能媒体を含むワイヤレスネットワークにおけるワイヤレス通信のためのコンピュータプログラム製品に関する。プログラムコードは、モバイルデバイスにおいて基地局からの送信でコンピュータに受信させ、コンピュータに送信を復号させるためのコードを含む。送信は、基地局からのサブフレームの少なくとも第１のシンボルにおけるデータを含む。このデータ送信は、少なくとも第１のシンボルにおいてレガシ制御送信と多重化される。
【００１４】
[0014]開示のさらなる態様は、少なくとも１つのプロセッサと、プロセッサに結合されたメモリとを含む、ワイヤレス通信のために構成された装置に関する。プロセッサは、送信を生成するように構成される。送信は、サブフレームを含み、サブフレームの第１の部分は、レガシ制御情報に割り振られ、第１の部分は、少なくとも第１のシンボル持続期間を含む。プロセッサはさらに、第１のシンボル持続期間においてデータを多重化するように構成される。このデータは、レガシ制御情報を含まない。プロセッサはさらに、基地局からモバイルデバイスへの送信を送るように構成される。
【００１５】
[0015]開示のさらなる態様は、少なくとも１つのプロセッサと、プロセッサに結合されたメモリとを含む、ワイヤレス通信のために構成された装置に関する。プロセッサは、モバイルデバイスにおいて基地局からの送信で受信することと、送信を復号することと、を行うように構成される。送信は、基地局からのサブフレームの少なくとも第１のシンボルにおけるデータを含む。このデータ送信は、少なくとも第１のシンボルにおいてレガシ制御送信と多重化される。
【図面の簡単な説明】
【００１６】
【図１】図１は、モバイル通信システムの例を概念的に図示するブロック図である。
【図２】図２は、モバイル通信システムにおけるダウンリンクフレームの構造の例を概念的に図示するブロック図である。
【図３】図３は、アップリンクＬＴＥ／−Ａ通信における例示的なフレーム構造を概念的に図示するブロック図である。
【図４】図４は、本開示の１つの態様に従って構成される基地局／ｅＮＢおよびＵＥの設計を概念的に図示するブロック図である。
【図５Ａ】図５Ａは、送信フレームの４つのサブフレームを図示するブロック図である。
【図５Ｂ】図５Ｂは、送信フレームの４つのサブフレームを図示するブロック図である。
【図６】図６は、本開示の１つの態様に従って構成されるワイヤレスシステムにおける、送信フレームの詳細なマッピングを図示するブロック図である。
【図７】図７は、本開示の１つの態様を実装するように実行されたブロック図の例を図示する機能ブロック図である。
【図８】図８は、本開示の１つの態様を実装するように実行されたブロック図の例を図示する機能ブロック図である。
【図９】図９は、本開示の１つの態様に従って構成される基地局およびＵＥを図示するブロック図である。
【図１０】図１０は、本開示の１つの態様に従って構成されるデータ送信の第１のシンボルを図示するブロック図である。
【発明を実施するための形態】
【００１７】
[0026]添付の図面に関連して下記に示される詳細な説明は、様々な構成の説明を意図したものであり、本開示の範囲に制限されることが意図されるものではない。さらに、詳細な説明は、発明の主題の完全な理解を提供することを目的とする特定の詳細を含む。これらの特定の詳細があらゆるケースにおいて求められること、並びに、いくつかの事例では、周知の構成およびコンポーネントが説明の明確さのためにブロック図形式で示されることは、当業者に対して明らかだろう。
【００１８】
[0027]本明細書で説明される技法は、ＣＤＭＡ、ＴＤＭＡ、ＦＤＭＡ、ＯＦＤＭＡ、ＳＣ−ＦＤＭＡのような様々なワイヤレス通信ネットワークおよび他のネットワークに対して使用され得る。「ネットワーク」および「システム」という用語は、しばしば交換可能に使用される。ＣＤＭＡネットワークは、ユニバーサル地上無線アクセス（ＵＴＲＡ）、米国電気通信工業会（ＴＩＡ）のＣＤＭＡ２０００（登録商標）などのような無線技術を実装し得る。ＵＴＲＡ技術は、広帯域ＣＤＭＡ（ＷＣＤＭＡ（登録商標））およびＣＤＭＡの他のバリエーションを含む。ＣＤＭＡ２０００技術は、米国電子工業会（ＥＩＡ）およびＴＩＡからの、ＩＳ−２０００、ＩＳ−９５、およびＩＳ−８５６規格を含む。ＴＤＭＡネットワークは、モバイル通信のためのグローバルシステム（ＧＳＭ（登録商標））のような無線技術を実装し得る。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ）、ＩＥＥＥ ８０２．１６（ＷｉＭＡＸ）、ＩＥＥＥ ８０２．２０、フラッシュＯＦＤＭ（登録商標）などのような無線技術を実装し得る。ＵＴＲＡおよびＥ−ＵＴＲＡ技術は、ユニバーサルモバイル電気通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用するＵＭＴＳの、より新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる組織からの文書において説明されている。ＣＤＭＡ２０００およびＵＭＢは、「第３世代パートナーシッププロジェクト２」（３ＧＰＰ２）と呼ばれる組織からの文書において説明されている。本明細書で説明される技法は、上述されたワイヤレスネットワークおよび無線接続技術と同様に、他のワイヤレスネットワークおよび無線接続技術のために使用され得る。明確化のために、技法の特定の態様は、下記でＬＴＥまたはＬＴＥ−Ａ（代替において、合わせて「ＬＴＥ／−Ａ」と呼ばれる）について説明され、下記の説明の大部分でそのようなＬＴＥ／−Ａの専門用語を使用する。
【００１９】
[0028]図１は、通信のためのワイヤレスネットワーク１００を示し、それは、ＬＴＥ−Ａネットワークであり得る。ワイヤレスネットワーク１００は、多数の発展型ノードＢ（ｅＮＢ）１１０および他のネットワークエンティティを含む。ｅＮＢは、ＵＥと通信する局であり、基地局、ノードＢ、アクセスポイントなどとも呼ばれ得る。各ｅＮＢ １１０は、特定の地理的エリアのための通信カバレッジを提供し得る。３ＧＰＰにおいて、「セル」という用語は、その用語が使用される文脈に応じて、ｅＮＢのこの特定の地理的カバレッジエリア、および／または、カバレッジエリアにサービスするｅＮＢサブシステムを指し得る。
【００２０】
[0029]ｅＮＢは、マクロセル、ピコセル、フェムトセル、および／または、他のタイプのセルに対して通信カバレッジを提供し得る。マクロセルは、一般に、相対的に大きい地理的エリア（例えば、半径数キロメートル）をカバーし、ネットワークプロバイダにサービス加入しているＵＥによる制限のないアクセスを可能にし得る。ピコセルは、一般に、相対的に小さい地理的エリアをカバーし、ネットワークプロバイダにサービス加入しているＵＥによる制限のないアクセスを可能にし得る。フェムトセルもまた、一般に、相対的に小さい地理的エリア（例えば、家）をカバーし、制限のないアクセスに加え、フェムトセルとの関連付けを有するＵＥ（例えば、クローズドサブスクライバグループ（ＣＳＧ）の中のＵＥ、家の中のユーザのためのＵＥなど）による制限されたアクセス提供し得る。マクロセルのためのｅＮＢは、マクロｅＮＢと呼ばれ得る。ピコセルのためのｅＮＢは、ピコｅＮＢと呼ばれ得る。また、フェムトセルのためのｅＮＢは、フェムトｅＮＢまたはホームｅＮＢと呼ばれ得る。図１に示される例では、ｅＮＢ １１０ａ、１１０ｂおよび１１０ｃは、それぞれマクロセル１０２ａ、１０２ｂおよび１０２ｃのためのマクロｅＮＢであり得る。ｅＮＢ １１０ｘは、ピコセル１０２ｘのためのピコｅＮＢである。また、ｅＮＢ １１０ｙおよび１１０ｚは、それぞれフェムトセル１０２ｙおよび１０２ｚのためのフェムトｅＮＢである。ｅＮＢは、１または複数（例えば、２、３、４個など）のセルをサポートし得る。ｅＮＢは、それぞれ、バックホール１３４および１３６のようなバックホール通信リンクを通じて直接通信し得る。
【００２１】
[0030]ワイヤレスネットワーク１００はまた、中継局を含み得る。中継局は、アップストリーム局（例えば、ｅＮＢ、ＵＥなど）からデータの送信および／または他の情報を受信し、ダウンストリーム局（例えば、他のＵＥ、別のｅＮＢなど）にデータの送信および／または他の情報の送信を送る局である。中継局はまた、他のＵＥのための送信を中継するＵＥであり得る。図１において示される例では、中継局１１０ｒは、ｅＮＢ １１０ａおよびＵＥ １２０ｒと通信し、ここで、中継局１１０ｒは２つのネットワーク要素（ｅＮＢ １１０ａおよびＵＥ １２０ｒ）間の通信を容易にするために、それらの間の中継器の役割を果たす。中継局はまた、中継ｅＮＢ、中継器などとも呼ばれ得る。
【００２２】
[0031]ワイヤレスネットワーク１００は、同期または非同期動作をサポートし得る。同期動作について、ｅＮＢは、同様のフレームタイミングを有し、異なるｅＮＢからの送信は時間内におおまかにアラインされ得る。非同期動作については、ｅＮＢは、異なるフレームタイミングを有し、また、異なるｅＮＢからの送信は、時間内にアラインされない可能性がある。
【００２３】
[0032]ＵＥ １２０は、ワイヤレスネットワーク１００全体に分散され、各ＵＥは、固定またはモバイルであり得る。ＵＥはまた、端末、モバイル局、加入者ユニット、局などとも呼ばれ得る。ＵＥは、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局などであり得る。ＵＥは、マクロｅＮＢ、ピコｅＮＢ、フェムトｅＮＢ、中継器などと通信可能であり得る。図１では、両矢印付きの実線は、ＵＥと、ダウンリンクおよび／またはアップリンク上でＵＥにサービスするように指定されたｅＮＢである、サービングｅＮＢとの間の所望の送信を示し、両矢印付きの破線は、ＵＥとｅＮＢとの間の干渉する送信を示す。
【００２４】
[0033]ＬＴＥ／−Ａは、ダウンリンク上では直交周波数分割多重（ＯＦＤＭ）を利用し、アップリンク上では単一キャリア周波数分割多重（ＳＣ−ＦＤＭ）を利用する。ＯＦＤＭとＳＣ−ＦＤＭＡは、システム帯域幅を複数の（Ｋ個の）直交サブキャリアに分割し、それらは一般的に、トーン、ビンなどと呼ばれる。各サブキャリアは、データによって変調され得る。一般に、変調シンボルは、ＯＦＤＭでは周波数領域で、およびＳＣ−ＦＤＭＡでは時間領域で送られる。隣接するサブキャリア間の間隔は固定され、サブキャリア（Ｋ個）の総数は、システム帯域幅よって決まり得る。例えば、Ｋは、１．４、３、５、１０、１５、または２０メガヘルツ（ＭＨｚ）の対応するシステム帯域幅について、それぞれ、７２、１８０、３００、６００、９００、および１２００と等しくなり得る。システム帯域幅はまた、サブバンドに分割され得る。例えば、サブバンドは、１．０８ＭＨｚをカバーし得、１．４、３、５、１０、１５、または２０ＭＨｚの対応するシステム帯域幅について、それぞれ、１、２、４、８、または１６サブバンドが存在し得る。
【００２５】
[0034]図２は、ＬＴＥ／−Ａにおいて使用されるダウンリンクフレーム構造を示す。ダウンリンクのための送信タイムラインは、無線フレームのユニットに分割され得る。各無線フレームは、所定の持続期間（例えば、１０ミリ秒（ｍｓ））を有し、０〜９のインデックスを有する１０個のサブフレームに分割され得る。各サブフレームは、２つのスロットを含み得る。よって、各無線フレームは、０〜１９のインデックスを有する２０個のスロットを含み得る。各スロットは、Ｌ個のシンボル期間を含み得、例えば、ノーマルサイクリックプレフィックスについては７個のシンボル期間を（図２において示されるように）、または拡張されたサイクリックプレフィックスについては６個のシンボル期間を含み得る。各サブフレームにおける２Ｌ個のシンボル期間は、０〜２Ｌ−１のインデックスを割り当てられ得る。利用可能な時間周波数リソースは、リソースブロックに分割され得る。各リソースブロックは、１つのスロットにおいてＮ個のサブキャリア（例えば、１２個のサブキャリア）をカバーし得る。
【００２６】
[0035]ＬＴＥ／−Ａにおいて、ｅＮＢは、ｅＮＢにおける各セルのために、一次同期信号（ＰＳＳ）および二次同期信号（ＳＳＳ）を送り得る。一次および二次同期信号は、図２で示されるように、ノーマルサイクリックプレフィックスを用いて、各無線フレームのサブフレーム０および５の各々における、それぞれシンボル期間６および５において送られ得る。同期信号は、セル検出および捕捉のためにＵＥによって使用され得る。ｅＮＢは、サブフレーム０のスロット１におけるシンボル期間０〜３で、物理ブロードキャストチャネル（ＰＢＣＨ）を送り得る。ＰＢＣＨは、特定のシステム情報を搬送し得る。
【００２７】
[0036]ｅＮＢは、図２で見られるように、各サブフレームの第１のシンボル期間において物理制御フォーマットインジケータチャネル（ＰＣＦＩＣＨ）を送り得る。ＰＣＦＩＣＨは、制御チャネルのために使用されるシンボル期間の数（Ｍ）を伝達することができ、ここで、Ｍは、１、２、または３に等しく、サブフレームごとに変わり得る。Ｍはまた、例えば、スロットごとに１０個未満のリソースブロックを有する小さなシステム帯域幅では、４に等しくなり得る。図２に示す例では、Ｍ＝３である。ｅＮＢは、各サブフレームの最初のＭ個のシンボル期間において、物理ＨＡＲＱインジケータチャネル（ＰＨＩＣＨ）および物理ダウンリンク制御チャネル（ＰＤＣＣＨ）を送り得る。ＰＤＣＣＨおよびＰＨＩＣＨはまた、図２に示される例では、最初の３つのシンボル期間に含まれる。ＰＨＩＣＨは、ハイブリッド自動再送（ＨＡＲＱ）をサポートするために情報を搬送し得る。ＰＤＣＣＨは、ＵＥのためのリソース割り振りに関する情報と、ダウンリンクチャネルのための制御情報とを搬送し得る。ｅＮＢは、各サブフレームの残りのシンボル期間において物理ダウンリンク共有チャネル（ＰＤＳＣＨ）を送り得る。ＰＤＳＣＨは、ダウンリンク上でのデータ送信のためにスケジューリングされたＵＥのためのデータを搬送し得る。
【００２８】
[0037]各サブフレームの制御部（すなわち各サブフレームの第１のシンボル期間）においてＰＨＩＣＨおよびＰＤＣＣＨを送ることに加えて、ＬＴＥ−Ａもまた同様に、各サブフレームのデータ部分でこれらの制御用チャネル（control-oriented channels）を送信し得る。図２に示されるように、データ領域（例えば、中継物理ダウンリンク制御チャネル（Ｒ−ＰＤＣＣＨ））および中継物理ＨＡＲＱインジケータチャネル（Ｒ−ＰＨＩＣＨ）を利用するこれらの新しい制御設計は、各サブフレームの後のシンボル期間に含まれる。Ｒ−ＰＤＣＣＨは、半二重中継動作のコンテキストにおいて独自に発展したデータ領域を使用する制御チャネルの新しいタイプである。１つのサブフレームにおいて最初のいくつかの制御シンボルを占有する、レガシＰＤＣＣＨおよびＰＨＩＣＨとは異なり、Ｒ−ＰＤＣＣＨおよびＲ−ＰＨＩＣＨは、データ領域として当初に割り当てられたリソースエレメント（ＲＥ）にマッピングされる。新しい制御チャネルは、周波数分割多重（ＦＤＭ）、時分割多重（ＴＤＭ）、またはＦＤＭとＴＤＭとの組合せの形式であり得る。
【００２９】
[0038]ｅＮＢがどのように構成され得るか、またはｅＮＢによって動作されるいずれかの機能の構成に従って、ｅＮＢは、ブロードキャスト、ユニキャスト、いくつかのＵＥの特定のグループなどを通して、ＵＥに様々な信号およびチャネルを送信し得る。例えば、ｅＮＢは、ｅＮＢによって使用されるシステム帯域幅の中心１. ０８ＭＨｚにおいてＰＳＳ、ＳＳＳ、およびＰＢＣＨを送り得る。ｅＮＢはまた、ＰＣＦＩＣＨおよびＰＨＩＣＨを、これらのチャネルが送られる各シンボル期間において、システム帯域幅全体にわたって送り得る。ｅＮＢは、システム帯域幅の特定の部分においてＵＥのグループにＰＤＣＣＨを送り得る。ｅＮＢは、システム帯域幅の特定の部分において特定のＵＥにＰＤＳＣＨを送り得る。ｅＮＢは、全てのＵＥにブロードキャスト方式でＰＳＳ、ＳＳＳ、ＰＢＣＨ、ＰＣＦＩＣＨおよびＰＨＩＣＨを送り、また特定のＵＥにユニキャスト方式でＰＤＳＣＨを送り得る。ＵＥのグループにＰＤＣＣＨを送るｅＮＢへの代替において、ｅＮＢはまた、特定のＵＥにユニキャスト方式でＰＤＣＣＨを送り得る。
【００３０】
[0039]多数のリソース要素が、各シンボル期間において利用可能であり得る。各リソース要素は、１つのシンボル期間において１つのサブキャリアをカバーし得、１つの変調シンボルを送るために使用され得、それは、実数値または複素数値であり得る。各シンボル期間において基準信号のために使用されないリソース要素は、リソース要素グループ（ＲＥＧ）に配置され得る。各ＲＥＧは、１つのシンボル期間における４つのリソース要素を含み得る。ＰＣＦＩＣＨは、４つのＲＥＧを占有し得、それらは、シンボル期間０において、周波数にわたってほぼ均等に間隔をあけられ得る。ＰＨＩＣＨは、３つのＲＥＧを占有し得、それらは、１つまたは複数の設定可能なシンボル期間において、周波数にわたって拡散され得る。例えば、ＰＨＩＣＨのための３つのＲＥＧは、全てシンボル期間０に属し得るか、またはシンボル期間０、１および２において拡散され得る。ＰＤＣＣＨは、９、１８、３２、または６４個のＲＥＧを占有することができ、それらは、最初のＭ個のシンボル期間において、利用可能なＲＥＧから選択され得る。ＲＥＧの特定の組み合わせのみが、ＰＤＣＣＨについて可能である。
【００３１】
[0040]ＵＥは、ＰＨＩＣＨとＰＣＦＩＣＨのために使用される特定のＲＥＧを知り得る。ＵＥは、ＰＤＣＣＨのためのＲＥＧの異なる組み合わせをサーチし得る。サーチするための組み合わせの数は、通常は、ＰＤＣＣＨに対して可能である組み合わせの数よりも少ない。ｅＮＢは、ＵＥがサーチするであろう任意の組み合わせにおいてＵＥにＰＤＣＣＨを送り得る。
【００３２】
[0041]ＵＥは、複数のｅＮＢのカバレッジ内にあり得る。これらのｅＮＢのうちの１つは、ＵＥにサービスするために選択され得る。サービングｅＮＢは、受信電力、パスロス、信号対雑音比（ＳＮＲ）などのような、様々な基準に基づいて選択され得る。
【００３３】
[0042]図３は、アップリンクロングタームエボリューション（ＬＴＥ／Ａ）通信における例示的なフレーム構造３００を示すブロック図である。アップリンクについて利用可能なリソースブロック（ＲＢ）は、データ部と制御部とに分割され得る。制御部は、システム帯域幅の両端に形成され得、設定可能なサイズを有し得る。制御部におけるリソースブロックは、制御情報の送信のためにＵＥに割り当てられ得る。データ部は、制御部に含まれない全てのリソースブロックを含み得る。図３の設計は、連続したサブキャリアを含むデータ部をもたらし、これは、単一のＵＥに、データ部における連続したサブキャリアの全てが割り当てられることを可能にし得る。
【００３４】
[0043]ＵＥは、ｅＮＢに制御情報を送信するために、制御部におけるリソースブロックに割り当てられ得る。ＵＥはまた、ｅＮＢにデータを送信するために、データ部におけるリソースブロックに割り当てられ得る。ＵＥは、制御部における割り当てられたリソースブロック３１０ａおよび３１０ｂ上の物理アップリンク制御チャネル（ＰＵＣＣＨ）において制御情報を送信し得る。ＵＥは、データ部における割り当てられたリソースブロック上の物理アップリンク共有チャネル（ＰＵＳＣＨ）において、データのみ、またはデータと制御情報の両方を送信し得る。図３に示されるように、アップリンク送信は、サブフレームの両方のスロットに広がり得、周波数にわたってホップ（hop）し得る。
【００３５】
[0044]図１を再び参照すると、異種ワイヤレスネットワーク１００は、単位エリア毎のシステムのスペクトル効率を改善するために、ｅノードＢ１１０の多様なセット（すなわち、マクロｅＮＢ、ピコｅＮＢ、フェムトｅＮＢ、および中継器）を使用する。ワイヤレスネットワーク１００は、そのスペクトルカバレッジについてこのような異なるｅＮＢを使用するため、異種ネットワークとも呼ばれ得る。マクロｅＮＢ １１０ａ〜ｃは通常、ワイヤレスネットワーク１００のプロバイダによって慎重に計画され、設置される。マクロｅＮＢ １１０ａ〜ｃは一般に、高い電力レベル（例えば、５Ｗ〜４０Ｗ）で送信する。ピコｅＮＢ １１０ｘおよび中継局１１０ｒは、一般に、かなり低い電力レベル（例えば、１００ｍＷ〜２Ｗ）で送信を行い、マクロｅＮＢ １１０ａ〜ｃによって提供されるカバレッジエリアにおけるカバレッジホールをなくし、ホットスポットにおける容量を改善するために、相対的に無計画な方法で展開され得る。フェムトｅＮＢ １１０ｙ〜ｚは、通常はワイヤレスネットワーク１００から独立して展開されるが、それにもかかわらず、それらの管理者（単数または複数）によって権限を付与された場合、ワイヤレスネットワーク１００への潜在的なアクセスポイントとして、または、少なくともリソースの協調および干渉管理の協調を行うためにワイヤレスネットワーク１００の他のｅＮＢ １１０と通信し得るアクティブでアウェアな（aware）ｅＮＢとして、のいずれかで、ワイヤレスネットワーク１００のカバレッジエリアに組み込まれ得る。フェムトｅＮＢ １１０ｙ〜ｚもまた、通常、マクロｅＮＢ １１０ａ〜ｃよりもかなり低い電力レベル（例えば、１００ｍＷ〜２Ｗ）で送信する。
【００３６】
[0045]ワイヤレスネットワーク１００のような異種ネットワークの動作では、各ＵＥは通常、より良い信号品質を用いてｅＮＢ １００によってサービスされる一方、他のｅＮＢ １１０から受信される所望されない信号は、干渉として扱われる。そのような動作原理が最適状態には及ばないパフォーマンスをもたらし得る一方、ネットワークの性能の進歩が、ｅＮＢ １１０間のインテリジェントなリソース協調、より良いサーバ選択ストラテジ、および効率的な干渉管理のためのより向上した技法を使用することによって、ワイヤレスネットワーク１００において実現される。
【００３７】
[0046]ピコｅＮＢ １１０ｘのようなピコｅＮＢは、マクロｅＮＢ １１０ａ〜ｃのようなマクロｅＮＢと比較した場合、かなり低い送信電力によって特徴付けられる。ピコｅＮＢはまた、通常、アドホック方式でワイヤレスネットワーク１００のようなネットワークの方々に配置されるだろう。この無計画な展開のために、ワイヤレスネットワーク１００のようなピコｅＮＢの配置を有するワイヤレスネットワークは、干渉状況への低い信号を伴う広いエリアを有することが予期され、それは、カバレッジエリア、すなわち、セルのエッジにおけるＵＥ（「セルエッジ」ＵＥ）への制御チャネル送信のためのよりチャレンジングな（challenging）ＲＦ環境を助長し得る。さらに、マクロｅＮＢ １１０ａ〜ｃとピコｅＮＢ １１０ｘとの送信電力レベル間の潜在的に大きな不均衡（例えば、約２０ｄＢ）は、混合された配置では、ピコｅＮＢ １１０ｘのダウンリンクのカバレッジエリアが、マクロｅＮＢ １１０ａ〜ｃのものよりもずっと小さくなるであろうことを暗に意味する。
【００３８】
[0047]しかしながら、アップリンクの場合、アップリンク信号の信号強度は、ＵＥによって左右され、そのため、ｅＮＢ １１０のいずれのタイプによって受信された場合でも同様であるだろう。ｅＮＢ １１０のためのアップリンクのカバレッジエリアがほぼ同一または同様であると、アップリンクのハンドオフ境界は、チャネル利得に基づいて決定されるだろう。これは、ダウンリンクのハンドオーバ境界とアップリンクのハンドオーバ境界との間の不一致をもたらし得る。追加のネットワークの適応がなくとも、この不一致は、ダウンリンクとアップリンクのハンドオーバ境界がより緊密に一致しているマクロｅＮＢのみの同種ネットワークよりも、ワイヤレスネットワーク１００において、サーバの選択またはＵＥのｅＮＢへの関連付けをより困難にするだろう。
【００３９】
[0048]サーバ選択が、ダウンリンク受信信号強度に主に基づいている場合、ワイヤレスネットワーク１００のような異種ネットワークの、混合されたｅＮＢ展開の実用性は、大いに減少するだろう。これは、ピコｅＮＢ １１０ｘが、著しく弱いダウンリンク送信電力のためにいずれのＵＥにもサービスしない可能性がある間に、マクロｅＮＢ １１０ａ−ｃのより高いダウンリンク受信信号強度が、利用可能なＵＥの全てを引き付けるため、マクロｅＮＢ １１０ａ−ｃのようなより高い電力の（higher powered）マクロｅＮＢのより大きなカバレッジエリアが、ピコｅＮＢ １１０ｘのようなピコｅＮＢを用いてセルカバレッジを分割する利益を制限するためである。さらに、マクロｅＮＢ １１０ａ−ｃは、これらのＵＥに効率的にサービスするのに十分なリソースを有していない可能性が高いだろう。従って、ワイヤレスネットワーク１００は、ピコｅＮＢのカバレッジエリアを拡大することによって、マクロｅＮＢ １００ａ−ｃとピコｅＮＢ １００ｘとの間の負荷を、動的にバランスを取ることを試みるだろう。この概念は、セル範囲拡大（ＣＲＥ）と呼ばれる。
【００４０】
[0049]ワイヤレスネットワーク１００は、サーバ選択が決定される方法を変更することによって、ＣＲＥを実現する。ダウンリンク受信信号強度にサーバ選択のベースを置く代わりに、選択は、よりダウンリンク信号の品質に基づく。１つのこのような品質ベースの決定では、サーバ選択は、最小のパスロスをＵＥに与えるｅＮＢを決定することに基づき得る。さらに、ワイヤレスネットワーク１００は、マクロｅＮＢ １１０ａ−ｃとピコｅＮＢ １１０ｘとの間で、固定されたリソースの分割を提供する。しかしながら、この負荷のアクティブなバランスを用いたとしても、マクロｅＮＢ １１０ａ−ｃからのダウンリンク干渉は、ピコｅＮＢ １１０ｘのような、ピコｅＮＢによってサービスされるＵＥに対して軽減されるべきである。これは、ＵＥにおける干渉消去、ｅＮＢ １１０間のリソース調整などを含む、様々な方法によって達成され得る。
【００４１】
[0050]ワイヤレスネットワーク１００のような、セルの範囲拡大を伴う異種ネットワークでは、ピコｅＮＢ １１０ｘのようなより低い電力のｅＮＢからのサービスをＵＥが取得するために、マクロｅＮＢ １００ａ−ｃのようなより高い電力のｅＮＢから送信されたより強いダウンリンク信号の存在の下で、ピコｅＮＢ １１０ｘは、マクロｅＮＢ １１０ａ−ｃのうちの干渉している支配的なものとの制御チャネルおよびデータチャネルの干渉調整に従事する。干渉調整のための多くの異なる技術が、干渉を管理するために用いられ得る。例えば、セル内干渉調整（ＩＣＩＣ）は、共同チャネル展開におけるセルからの干渉を低減するように使用され得る。１つのＩＣＩＣメカニズムは、適応リソース分割である。適応リソース分割は、特定のｅＮＢにサブフレームを割り当てる。第１のｅＮＢに割り当てられたサブフレームにおいて、近隣のｅＮＢは送信を行わない。このように、第１のｅＮＢにサービスされるＵＥによって経験される干渉が低減される。サブフレーム割り当ては、アップリンクチャネルおよびダウンリンクチャネルの両方で行われ得る。
【００４２】
[0051]例えば、ＡＢＳ（Almost Blank Subframe）サブフレームは、ｅＮＢのクラスタの間に割り振られ得る。ＡＢＳサブフレームを特定のｅＮＢに割り当てることによって、他のｅＮＢ送信が保護される。例えば、所与のサブフレームに対して、ｅＮＢ ＡがＡＢＳサブフレームを割り当てられる場合、ｅＮＢ Ｂは、またはｅＮＢ Ａからの干渉に制限される信号を送信し得るか、または効率的に保護される。例えば、第１のｅＮＢの禁止されたサブフレームは、干渉する第２のｅＮＢの保護されたサブフレームに対応し得る。よって、第１のｅＮＢは、第１のｅＮＢの保護されたサブフレーム中にデータを送信する唯一のｅＮＢである。共通サブフレームは、複数のｅＮＢによるデータ送信のために使用され得る。共通サブフレームはまた、他のｅＮＢからの干渉の可能性のために「クリーンでない（unclean）」サブフレームとも呼ばれ得る。
【００４３】
[0052]異種ネットワークは、異なる電力クラスのｅＮＢを有し得る。例えば、３つの電力クラスは、降順の電力クラスで、マクロｅＮＢ、ピコｅＮＢ、フェムトｅＮＢとして定義され得る。マクロｅＮＢ、ピコｅＮＢ、およびフェムトｅＮＢが同一チャネル展開されている場合、マクロｅＮＢ（攻撃者（aggressor）ｅＮＢ）の電力スペクトル密度（ＰＳＤ）は、ピコｅＮＢおよびフェムトｅＮＢ（被害者（victim）ｅＮＢ）のＰＳＤよりも大きく、ピコｅＮＢおよびフェムトｅＮＢで大量の干渉を生み出し得る。保護されたサブフレームが、ピコｅＮＢおよびフェムトｅＮＢに対する干渉を低減または最小化するために使用され得る。すなわち、保護されたサブフレームが、攻撃者ｅＮＢ上の禁止サブフレームに対応するように、被害者ｅＮＢのためにスケジューリングされ得る。
【００４４】
[0053]ＬＴＥ／−Ａにおいて用いられ得る別の干渉管理スキームの例は、低速で適応する（slowly-adaptive）干渉管理である。干渉管理に対するこのアプローチを使用すると、リソースは、スケジューリング間隔よりももっと長い時間スケールにわたって、交渉され、割り振られる。このスキームの目的は、ネットワークの全体的な有用性を最大化する時間または周波数リソースの全てにわたる、送信するｅＮＢとＵＥの全てのための、送信電力の組み合わせを発見することである。「有用性」は、ユーザのデータレート、サービス品質（ＱｏＳ）フローの遅延、および公平性のメトリックの関数として定義され得る。このようなアルゴリズムは、最適化を解決するために使用される情報の全てに対するアクセスを有し、送信エンティティの全てに対する制御を有する、中央エンティティによって計算され得る。この中央エンティティは、常に実用的であるわけではなく、それどころか所望されないことさえある。従って、代替の態様では、ある特定のノードのセットからのチャネル情報に基づいてリソースの使用の決定を行う分散アルゴリズムが使用され得る。従って、低速で適応する干渉アルゴリズムは、中央エンティティを使用して、またはネットワークにおけるノード／エンティティの様々なセットにわたりアルゴリズムを分散させることによって、のいずれかで展開され得る。
【００４５】
[0054]ワイヤレスネットワーク１００のような異種ネットワークの展開では、ＵＥは、ＵＥが１つまたは複数の干渉するｅＮＢからの高い干渉を観察し得る支配的な干渉のシナリオにおいて動作し得る。支配的な干渉のシナリオは、制限された関連付けによって発生し得る。例えば、図１では、ＵＥ １２０ｙは、フェムトｅＮＢ １１０ｙの近くにあり、ｅＮＢ １１０ｙについて高い受信電力を有し得る。しかしながら、ＵＥ １２０ｙは、制限された関連付けのために、フェムトｅＮＢ １１０ｙにアクセス不可能であり得ると、マクロｅＮＢ １１０ｃに接続し得る（図１に示されるように）か、またはより低い受信電力でまたフェムトｅＮＢ １１０ｚに接続し得る（図１に示されない）。ＵＥ １２０ｙはその後、ダウンリンク上でフェムトｅＮＢ １１０ｙからの高い干渉を観測し、また、アップリンク上でｅＮＢ １１０ｙに対し高い干渉をもたらし得る。調整された干渉管理を使用して、ｅＮＢ １１０ｃおよびフェムトｅＮＢ １１０ｙは、リソースをネゴシエートするために、バックホール１３４を介して通信し得る。この交渉では、ＵＥ １２０ｙが、ｅＮＢ １１０ｃとその同一のチャネルにわたって通信する場合と同じ程多くのフェムトｅノードＢ １１０ｙからの干渉を経験しないように、フェムトｅＮＢ １１０ｙは、そのチャネルリソースのうちの１つにおいて送信を中止することに同意する。
【００４６】
[0055]このような支配的な干渉のシナリオにおいてＵＥで観察される信号電力の矛盾に加えて、ダウンリンク信号のタイミング遅延もまた、同期システムにおいてでさえ、ＵＥと複数のｅＮＢとの間の異なる距離のために、ＵＥによって観察され得る。同期システムにおけるｅＮＢは、システムにわたり仮定に基づいて同期される。しかしながら、例えば、マクロｅＮＢから５ｋｍの距離にあるＵＥを考慮すると、そのマクロｅＮＢから受信される任意のダウンリンク信号の伝搬遅延は、約１６．６７μｓ（５ｋｍ÷３×１０８、すなわち、光速度「ｃ」）だけ遅延するだろう。マクロｅＮＢからのダウンリンク信号を、より近接したフェムトｅＮＢからのダウンリンク信号と比較すると、タイミング差は、有効期間（ＴＴＬ：time-to-live）エラーのレベルに近づき得る。
【００４７】
[0056]さらに、このようなタイミングの差は、ＵＥにおける干渉除去に影響し得る。干渉除去は、しばしば、同じ信号の複数のバージョンの組み合わせ間の相互相関特性を使用する。同じ信号の複数のコピーを組み合わせることにより、信号の各コピーに干渉が存在し得るが、それはおそらく同じロケーションにはないため、干渉は、より容易に識別され得る。組み合わせられた信号の相互相関を使用して、実際の信号部分が、決定され、干渉と区別され得るため、干渉の除去を可能にする。
【００４８】
[0057]図４は、基地局／ｅノードＢ １１０およびＵＥ １２０の設計のブロック図を示し、これらは、図１における基地局／ｅノードＢのうちの１つ、およびＵＥのうちの１つであり得る。制限された関連付けシナリオについて、ｅＮＢ １１０は図１におけるマクロｅＮＢ １１０ｃであり得、ＵＥ １２０はＵＥ １２０ｙであり得る。ｅＮＢ １１０はまた、いくつかの他のタイプの基地局であり得る。ｅＮＢ １１０は、アンテナ４３４ａ〜４３４ｔを備え、ＵＥ １２０はアンテナ４５２ａ〜４５２ｒを備え得る。
【００４９】
[0058]ｅＮＢ １１０において、送信プロセッサ４２０は、データソース４１２からデータを受信し、コントローラ／プロセッサ４４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。送信プロセッサ４２０は、それぞれ、データシンボルおよび制御シンボルを取得するために、データおよび制御情報を処理（例えば、符号化およびシンボルマッピング）し得る。送信プロセッサ４２０はまた、例えば、ＰＳＳ、ＳＳＳのための基準シンボル、およびセル特有の基準信号を生成し得る。送信（ＴＸ）多入力多出力（ＭＩＭＯ）プロセッサ４３０は、適用可能な場合、データシンボル、制御シンボル、および／または基準シンボルに空間処理（例えば、プリコーディング）を行い、出力シンボルストリームを変調器（ＭＯＤ）４３２ａ〜４３２ｔに提供し得る。各変調器４３２は、出力サンプルストリームを取得するために、それぞれの出力シンボルストリーム（例えば、ＯＦＤＭなどのための）を処理し得る。各変調器４３２は、ダウンリンク信号を取得するために、この出力サンプルストリームをさらに処理（例えば、アナログ変換、増幅、フィルタリング、およびアップコンバート）し得る。変調器４３２ａ〜４３２ｔからのダウンリンク信号は、それぞれ、アンテナ４３４ａ〜４３４ｔを介して送信され得る。
【００５０】
[0059]ＵＥ １２０において、アンテナ４５２ａ〜４５２ｒは、ｅＮＢ １１０からダウンリンク信号を受信し、受信された信号を、それぞれ、復調器（ＤＥＭＯＤ）４５４ａ〜４５４ｒに提供し得る。各復調器４５４は、入力サンプルを取得するために、それぞれの受信された信号を調整（例えば、フィルタリング、増幅、ダウンコンバート、およびデジタル化）する。各復調器４５４はさらに、受信シンボルを取得するために、（例えば、ＯＦＤＭなどのために）入力サンプルを処理し得る。ＭＩＭＯ検出器４５６は、全ての復調器４５４ａ〜４５４ｒからの受信シンボルを取得し、適用可能な場合、受信シンボル上でＭＩＭＯ検出を行い、検出されたシンボルを提供し得る。受信プロセッサ４５８は、検出されたシンボルを処理（例えば、復調、デインタリーブ、および復号）し、ＵＥ １２０のための復号されたデータをデータシンク４６０に提供し、復号された制御情報をコントローラ／プロセッサ４８０に提供し得る。
【００５１】
[0060]アップリンクでは、ＵＥ １２０において、送信プロセッサ４６４は、データソース４６２からデータ（例えば、ＰＵＳＣＨのための）を受信および処理し、コントローラ／プロセッサ４８０から制御情報（例えば、ＰＵＣＣＨのための）を受信および処理し得る。送信プロセッサ４６４はまた、基準信号のための基準シンボルを生成し得る。送信プロセッサ４６４からのシンボルは、適用可能な場合、ＴＸ ＭＩＭＯプロセッサ４６６によってプリコーディングされ、復調器４５４ａ〜４５４ｒによって（例えば、ＳＣ−ＦＤＭなどのために）さらに処理され、ｅＮＢ １１０に送信され得る。ｅＮＢ １１０において、ＵＥ １２０からのアップリンク信号は、アンテナ４３４によって受信され、変調器４３２によって処理され、適用可能な場合、ＭＩＭＯ検出器４３６によって検出され、受信プロセッサ４３８によってさらに処理され、ＵＥ １２０によって送られた制御情報および復号されたデータを取得し得る。プロセッサ４３８は、データシンク４３９に復号されたデータを提供し、コントローラ／プロセッサ４４０に復号された制御情報を提供し得る。
【００５２】
[0061]コントローラ／プロセッサ４４０および４８０は、それぞれ、ｅＮＢ １１０およびＵＥ １２０における動作を指示し得る。コントローラ／プロセッサ４４０および／またはｅＮＢ １１０における他のプロセッサおよびモジュールは、本明細書で説明される技法のための様々な処理の実行を行うか、または指示し得る。コントローラ／プロセッサ４８０および／またはＵＥ １２０における他のプロセッサおよびモジュールは、図７および８で図示される機能ブロック、および／または本明細書で説明される技法の他のプロセスの実行を行うか、または指示し得る。メモリ４４２および４８２は、それぞれ、ｅＮＢ １１０およびＵＥ １２０のためのデータおよびプログラムコードを記憶し得る。スケジューラ４４４は、ダウンリンクおよび／またはアップリンク上のデータ送信のためにＵＥをスケジューリングし得る。
【００５３】
[0062]ＬＴＥ Ｒｅｌ−１１までのＬＴＥシステムでは、単一のダウンリンク制御チャネルは、通常は１つのサブフレーム中の単一のＰＤＳＣＨ送信、または１つのサブフレーム中の単一のＰＵＳＣＨのみをスケジューリングする。現在、単一のＰＤＳＣＨ／ＰＵＳＣＨ送信スケジューリングの唯一の例外は、ＴＤＤ構成＃０についてであり、それは、単一のＵＬ許可が２つのアップリンクＰＵＳＣＨ送信をスケジューリングし得る。各制御チャネル送信は、例えば、２つの制御チャネルエレメント（ＣＣＥ）または７２個のＲＥなどの特定のリソースを消費し、それは、いくつかのダウンリンク制御情報（ＤＣＩ）およびいくつかのＵＥのための物理リソースブロック（ＰＲＢ）ペアの半数に相当する。しかしながら、少なくとも分散された制御チャネル送信（レガシＰＤＣＣＨ、またはＥＰＤＣＣＨ）について、制御チャネル送信に起因して実際の大きさのロス（dimensional loss）がさらにより大きくなり得ることは、注目に値する。例えば、レガシＰＤＣＣＨ（ノーマルＣＰについては７％のオーバーヘッド）のための１つの制御シンボルが、単一の制御チャネル送信に必要とされ得る。少なくとも２つのＰＲＢペアは、分散されたＥＰＤＣＣＨ（１０ＭＨｚのシステムにおいては４％のオーバーヘッド）に必要とされ得る。
【００５４】
[0063]制御チャネルオーバーヘッドの低減は、マルチサブフレームスケジューリングを使用して実現され得る。マルチサブフレームスケジューリングを用いて、１つの制御チャネルは、２つ以上のサブフレームにわたってＤＬ／ＵＬ送信をスケジューリングし得る。図５Ａは、送信フレーム５０の４つのサブフレームを図示するブロック図である。１つの制御チャネル、制御チャネル５００は、レガシＰＤＣＣＨ、または新規のＥＰＤＣＣＨのいずれかであり得、４つのＰＤＳＣＨ送信、ＰＤＳＣＨ ５０１−５０４を、その各々がそれ自体のトランスポートブロック（ＴＢ）、ＴＢ １−ＴＢ ４でスケジューリングし、それにより同じトランスポートブロックが複数のサブフレームにわたって繰り返されない。そのため、制御チャネルのオーバーヘッドは、唯一の制御チャネルである制御チャネル５００として低減され、４つの異なるＰＤＳＣＨ送信であるＰＤＳＣＨ ５０１−５０４をスケジューリングするために使用される。
【００５５】
[0064]制御チャネルのオーバーヘッドもまた、クロスサブフレームスケジューリングを使用して低減され得ることがさらに留意されるべきである。図５Ｂは、送信フレーム５１の４つのサブフレームを図示するブロック図である。クロスサブフレームスケジューリングでは、１つのサブフレームが、２つ以上のそれぞれのＤＬまたはＵＬサブフレームをスケジューリングする２つ以上の制御チャネルを搬送する。例えば、例示されるように、サブフレームｎは、４つの別個の制御チャネルである、制御チャネル５０５−５０８を含む。制御チャネル５０５−５０８の各々は、対応するＤＬまたはＵＬチャネルをスケジューリングする。制御チャネル５０５は、ＴＢ １でＰＤＳＣＨ ５０９をスケジューリングし、制御チャネル５０６は、ＴＢ ２でＰＤＳＣＨ ５１０をスケジューリングし、制御チャネル５０７は、ＴＢ ３でＰＤＳＣＨ ５１１をスケジューリングし、制御チャネル５０８は、ＴＢ ４でＰＤＳＣＨ ５１２をスケジューリングする。このように、複数の制御チャネルが個々の対応するＤＬ／ＵＬチャネルをスケジューリングするために使用される間、制御チャネル５０５−５０８の各々はサブフレームｎに位置付けられ、一方サブフレームｎ＋１〜ｎ＋３は、このような制御オーバーヘッドを含まない。
【００５６】
[0065]現在のおよび以前のＬＴＥ実装について定義されるキャリアタイプは、一般に、レガシキャリアタイプ（ＬＣＴ）または後方互換性のあるキャリアタイプと呼ばれる。ＬＣＴを実装すると、通常は、サブフレーム中に少なくとも１つの制御シンボルが存在する。この制御シンボルは、一般に、サブフレーム中の１番目のシンボルに位置付けられる。ＰＤＳＣＨ／ＥＰＤＣＣＨは、通常、サブフレーム中に割り振られたレガシ制御シンボルの数に応じて、このようなＬＣＴのためのサブフレームにおいて、２番目のシンボルまたはそれ以降から始まる。小さい帯域幅（例えば、スロットごとの、１０またはそれより少ないリソースブロック）について、レガシ制御シンボルの数は、最大で４になり得る。大きい帯域幅（例えば、スロットごとの、１０より多いリソースブロック）について、レガシ制御シンボルの数は、最大で３になり得る。新規のＬＴＥキャリアタイプでは、一般に、新規のキャリアタイプ（ＮＣＴ）と呼ばれ、それは、後方互換性がなく、レガシ制御領域は存在しない。結果として、ＰＤＳＣＨ／ＥＰＤＣＣＨは、サブフレーム中の１番目のシンボルから始まり得る。ＬＴＥ Ｒｅｌ−１２では、サービスカバレッジは、より高い電力のマクロセルに加えて、ピコセルおよび／またはフェムトセルのような、高容量のスモールセルを通じて提供され得る。高容量のスモールセルを用いたサービスの条件は、一般に、スモールセル高密度化（densification）と呼ばれ得、起こり得る配置のシナリオである。各セルは、非常に限られた数のＵＥにサービスし得る。ＬＴＥ Ｒｅｌ−１２システムにおけるＬＣＴ実装についてでさえ、スモールセル高密度化配置で第１のシンボル（シンボル０）からＰＤＳＣＨ／ＥＰＤＣＣＨを開始することを考慮することが可能であり得る。スモールセルの各々が１つまたはごく少数のＵＥにサービスするのみであり得るため、レガシ制御領域の必要性は減らされ得る。
【００５７】
[0066]シンボル０からＰＤＳＣＨ／ＥＰＤＣＣＨを開始することによって制御チャネルオーバーヘッドが低減され得、マルチサブフレーム／クロスサブフレームスケジューリングと組み合わせられる。ＬＴＥ Ｒｅｌ−１２およびそれ以降について、レガシＰＤＣＣＨ領域は削除され得、それは、ＰＤＳＣＨがシンボル０から開始することを可能にする。しかしながら、いくつかのサブフレームにおいて後方互換性（例えば、ページング、ＳＩＢなどをサポートすること）に関する懸念が存在し得るため、レガシ制御の削除がサブフレームのサブセットについてのみに実装され得るように、それらのサブフレーム中のＰＤＣＣＨを介する共通サーチスペース（ＣＳＳ）の使用が存在し得る。このような配置では、レガシ制御領域、ひいてはシンボル０から開始するＰＤＳＣＨの欠如は、それぞれの基地局からの動的な、または半静的なシグナリングを使用して、利用可能なＵＥに示され得る。
【００５８】
[0067]ＥＰＤＣＣＨがアドバンストＬＴＥシステムにおいて構成されるとき、ＵＥは、ＥＰＤＣＣＨのためのＣＳＳがないため、依然として、少なくともＣＳＳについてＰＤＣＣＨをモニタリングすることを試みるだろう。結果として、レガシ制御領域がいくつかのサブフレーム内で削除され得る場合でさえ、レガシ制御領域が削除されるサブフレームにおいて、レガシ制御のための少なくとも１つのシンボルが存在し得、それは、ＤＬオーバーヘッドに寄与する（contributes）だろう。レガシ制御領域が完全に削除される場合、ＰＨＩＣＨは送信されず、それは、非適応ＵＥ（non-adaptive UL）の再送信がサポートされることができないことを意味する。従って、このようなＵＬの再送信をサポートするために、ＰＤＣＣＨまたはＥＰＤＣＣＨが、なおも使用されなければならず、それは、ＤＬオーバーヘッドを要求する。加えて、サブフレームのセットにおいてレガシ制御領域を削除することはまた、セルによってサービスされたＵＥのためのサブフレームのセットにおいてＥＰＤＣＣＨの使用を命令する。
【００５９】
[0068]説明の目的で、レガシ制御領域を低減または完全に削除さえすることによって達成され得る様々な省略（savings）に加えて、利用可能なＲＥを例示する、ＬＴＥシステムの数値化された例が提供され得る。この例の概念的なＬＴＥシステムは、２つの共通基準信号（ＣＲＳ）ポートを用いて、１０ＭＨｚで動作する。さらに、システムは、１つの制御シンボル、最小ＰＨＩＣＨリソース、およびノーマルサイクリックプリフィックス（ＣＰ）を仮定する。このようなシステムの例では、５０個のリソースブロックが存在し得、それは、６００トーンと、１４個のシンボルとに等しい。そのため、利用可能なリソースエレメント（ＲＥ）の総数は、６００×１４＝８４００個のＲＥであり得る。第１のスロットの第１のシンボルにおけるＣＲＳの送信は、２００個のＲＥから成り得る。ＣＲＣを含む３つの追加のシンボルが存在し、ＣＲＳのために２００×４＝８００個のＲＥの総コストをもたらす。第１のスロットの第１のシンボルにおけるＰＣＦＩＣＨは、１６個のＲＥから成り得る。仮定された最小のＰＨＩＣＨリソースは、２つのＰＨＩＣＨグループの上限（５０／８／６）、または２×１２＝２４個のＰＨＩＣＨ ＲＥに対応する。ＣＲＳベースのＰＤＳＣＨについて、ＰＤＳＣＨのために利用可能な最大で６００×１３−６００＝７２００個のＲＥが存在し得、１つの制御シンボル（１４−１＝１３）と仮定すると、ここで、６００個のＲＥは、残りの３つのＣＲＳシンボルのコスト（第１のＣＲＳは、制御シンボルについての１つのシンボルの減少で説明される）を表し、ＰＳＳ／ＳＳＳ／ＰＢＣＨなどのような他の信号を考慮しない。レガシ制御領域が完全に削除される場合、ＰＤＳＣＨのために利用可能な最大で６００×１４−８００＝７６００個のＲＥが存在し得、ここで、８００個のＲＥのコストは、４つの全てのＣＲＳシンボルのコストを表す。このレガシ制御領域の削除は、４００個のＲＥ（７２００個からの）、すなわち４００／７２００＝５.５％の増加を計上する。
【００６０】
[0069]レガシ制御領域が部分的に可能である場合、例えば、ＰＣＦＩＣＨ／ＰＨＩＣＨおよび単一のＰＤＣＣＨ。アグリゲーションレベル１のＰＤＣＣＨ（３６個のＲＥ）について、７６００−１６（第１のシンボルＰＣＦＩＣＨ）−２４（ＰＨＩＣＨ）−３６（アグリゲーションレベル１のＰＤＣＣＨ）＝７５２４個のＲＥが存在し得、３２４個のＲＥ、すなわち３２４／７２００＝４．５％の増加である。アグリゲーションレベル２のＰＤＣＣＨ（７２個のＲＥ）について、７６００−１６（第１のシンボルＰＣＦＩＣＨ）−２４（ＰＨＩＣＨ）−７２（アグリゲーションレベル２のＰＤＣＣＨ）＝７４８８個のＲＥが存在し得、２８８個のＲＥ、すなわち２８８／７２００＝４．５％の増加である。アグリゲーションレベル４のＰＤＣＣＨ（１４４個のＲＥ）について、７６００−１６（第１のシンボルＰＣＦＩＣＨ）−２４（ＰＨＩＣＨ）−１４４（アグリゲーションレベル４のＰＤＣＣＨ）＝７４１６個のＲＥが存在し得、２１６個のＲＥ、すなわち２１６／７２００＝３．０％の増加である。１つのレベル４および１つのレベル２の、２つのＰＤＣＣＨの場合、７６００−１６（第１のシンボルＰＣＦＩＣＨ）−２４（ＰＨＩＣＨ）−１４４（アグリゲーションレベル４のＰＤＣＣＨ）−７２（アグリゲーションレベル２のＰＤＣＣＨ）＝７３４４個のＲＥが存在し得、１４４個のＲＥ、すなわち１４４／７２００＝２．０％の増加である。
【００６１】
[0070]ＤＭ−ＲＳベースのＰＤＳＣＨでは、ランク１およびランク２のＰＤＳＣＨについて、ＰＲＢペアごとに１２個のＤＭ−ＲＳ ＲＥ、すなわち全体で１２×５０＝６００個のＤＭ−ＲＳ ＲＥが存在する。レガシ制御領域が完全に削除される場合、ＰＤＳＣＨのために利用可能な最大で６００×１４−８００−６００＝７０００個のＲＥが存在し得、１つの制御シンボルと仮定すると、６００×１３−６００−６００＝６６００から４００個のＲＥ、すなわち４００／６６００＝６．１％の増加であり得る。レガシ制御領域が部分的に可能である場合、１つのレベル１のＰＤＣＣＨ、１つのレベル２のＰＤＣＣＨ、１つのレベル４のＰＤＣＣＨ、および１つのレベル４のＰＤＣＣＨ＋１つのレベル２のＰＤＣＣＨについて、それぞれ、３２４／６６００＝４.９％、２８８／６６００＝４.４％、２１６／６６００＝３.３％、および１４４／６６００＝２.２％であり得る。
【００６２】
[0071]数値の例を考慮すると、レガシ制御領域を完全に削除することと、レガシ制御領域を部分的に削除することの間のオーバーヘッド省略（overhead savings）の差は、わずか数パーセントである。さらに、いくつかのシンボルにおける２つのＰＤＣＣＨを送信することによる部分的な削除を考慮したとしても、依然として約２．０％のオーバーヘッド省略が存在する。従って、本開示の様々な態様は、シンボル０からＰＤＳＣＨ／ＥＰＤＣＣＨを開始することを指示される一方、レガシ制御領域を完全には削除しない。このような構成の下で、レガシ制御領域のいくつかは、例えば、ＰＣＦＩＣＨ、ＰＨＩＣＨ、および／またはＰＤＣＣＨなどのレガシ信号／チャネルを依然として送信し得るか、またはレガシ制御送信のために確保される（reserved）一方、残りのＲＥは、ＰＤＳＣＨ、ＥＰＤＣＣＨ、または両方によって使用され得る。
【００６３】
[0072]図６は、本開示の１つの態様に従って構成されるワイヤレスシステムにおける、送信フレーム６０の詳細なマッピングを図示するブロック図である。送信フレーム６０は、１０個のサブフレームを含む。サブフレーム６００のような単一のサブフレームは、各スロット内に１４個のリソースブロック（ＲＢ）を有する２つのスロットを含む。図６で図示される詳細は、サブフレーム６００にわたる３つの別個のＲＢ ６０１−６０３を示す。ＲＢ６０１−６０３は、１２個のサブキャリアにわたる、サブフレーム６００の２つのスロットの各々について、７個のシンボルを含む。図のキー６１を参照すると、サブキャリア０、３、６、および９においてＣＲＳ信号は、第１のシンボル、シンボル０−６０４において示される。同様に、ＣＲＳ信号はシンボル４において再び繰り返される。同じ配置が、第２のスロットにおいて、またＲＢ ６０２および６０３の各々について存在する。
【００６４】
[0073]本開示の１つの実装では、データ送信およびＥＰＤＣＣＨ送信は、ＰＤＳＣＨを介してシンボル０−６０４において可能である。しかしながら、レガシ制御送信もまた、可能である。例えば、ＲＢ ６０１では、ＰＣＦＩＣＨは、サブキャリア１、２、４、および５でシンボル０−６０４においてＲＥを占有し得る。同様に、ＲＢ ６０２では、ＰＨＩＣＨもまた、サブキャリア１、２、４、および５でシンボル０−６０４においてＲＥを占有し得る。ＲＢ ６０３では、ＰＤＣＣＨは、サブキャリア７、８、１０、および１１でシンボル０−６０４においてＲＥを占有し得る。しかしながら、上記の数値の例で留意されるように、レガシ制御送信を部分的にのみ削除し、シンボル０−６０４におけるＰＤＳＣＨ／ＥＰＤＣＣＨ送信を可能にすることによってさえ、オーバーヘッド省略が実現され得る。
【００６５】
[0075]図７は、本開示の１つの態様を実装するように実行された例示的なブロック図を図示する機能ブロック図である。
【００６６】
[0075]ブロック７００において、送信は、基地局において生成される。送信は、サブフレームを含み、サブフレームの第１の部分は、レガシ制御情報に割り振られる。サブフレームの第１の部分は、少なくとも第１のシンボル持続期間を含む。レガシ制御情報は、ＰＣＦＩＣＨ、ＰＨＩＣＨ、ＰＤＣＣＨなどのような様々な信号を含み得る。第１のシンボル持続期間に、特的の周波数において、基地局は、レガシ制御情報をスケジューリングする。
【００６７】
[0076]ブロック７０１において、データは、レガシ制御情報がなくとも、少なくとも第１のシンボル持続期間において多重化される。ＰＤＳＣＨを介するようなデータ送信は、第１のシンボル持続期間においてスケジューリングされ得る。データ送信は、レートマッチングを使用してスケジューリングされ得、ここにおいて、データは、レガシ制御情報が未だにスケジューリングまたは割り振られていないサブキャリアにおいてスケジューリングされる。
【００６８】
[0077]特定のサブフレームでは、基地局は基準信号を含まないサブキャリアの各々において送信のためにデータをスケジューリングし得る。このような状況でレガシ制御情報がスケジューリングされるとき、レガシ制御情報は、特定のサブキャリアまたはリソースエレメント（ＲＥ）のためにスケジューリングされた任意のデータ送信をパンクチャリングする、適切なサブキャリアに置かれる。他の態様では、データは、レガシ制御情報がスケジューリングされているＲＥ、または確保されているＲＥを避けるように、レートマッチングされ得る。
【００６９】
[0078]まだスケジューリングされていない他のレガシ制御情報が送られるとき、この他のレガシ制御情報は、データ送信がすでにスケジューリングされたＲＥをパンクチャリングし得る。データは、ユニキャストＰＤＳＣＨ、ブロードキャストＰＤＳＣＨ、ＥＰＤＣＣＨ、またはそれらの組合せであり得る。データはまた、ユニキャストトラフィック（例えば、ＰＤＳＣＨを介するユニキャストデータ、またはＥＰＤＣＣＨを介するユニキャスト制御）のみに制限され得る。レガシ制御領域のためのシンボルの数が１より大きいため、同じシンボルにおけるＰＤＳＣＨ／ＥＰＤＣＣＨの多重化は、他のレガシ制御シンボルと同様に拡張され得る。
【００７０】
[0079]代替的に、多重化は、制御シンボルの数が少なくともいくつかのサブフレーム中のものに制限されるとき（例えば、ブロードキャストがないサブフレーム）、第１のシンボルにおいてのみ行われ得る。追加的にまたは独立して、制御シンボルの数は、少なくともいくつかのサブフレーム中のものよりも大きい可能性があり、多重化は、制御領域の最後のシンボル、または全ての制御シンボルにおいて行われ得る。ＵＥは、準静的に（例えば、ＲＲＣを介して）、または動的な方法で（例えば、ＰＣＦＩＣＨまたはＤＣＩを介して）、唯一の制御シンボルが存在するサブフレームのセットを決定し得る。
【００７１】
[0080]ブロック７０２において、送信は、基地局からモバイルデバイスに送られる。一旦、送信が第１のシンボル持続期間に多重化されたデータおよびレガシ制御情報を用いて生成されると、基地局は、その送信をモバイルデバイスへと送る。
【００７２】
[0081]図８は、図７で説明されるような動作を行うように構成された基地局と通信するモバイルデバイスからの、本開示の１つの態様を実装するように拡張される例示的なブロックを図示する機能ブロック図である。ブロック８００において、モバイルデバイスは、基地からの送信を受信する。
【００７３】
[0082]ブロック８０１において、モバイルデバイスは、送信を復号する。送信は、基地局からのサブフレームの少なくとも第１のシンボルにおけるデータを含む。このデータ送信は、少なくとも第１のシンボルでのレガシ制御送信と多重化される。データは、ユニキャストＰＤＳＣＨ、ブロードキャストＰＤＳＣＨ、ＥＰＤＣＣＨ、またはそれらの組合せであり得る。データはまた、ユニキャストトラフィック（例えば、ＰＤＳＣＨを介するユニキャストデータ、またはＥＰＤＣＣＨを介するユニキャスト制御）のみに制限され得る。
【００７４】
[0083]基地局は、第１のシンボル、シンボル０、およびＵＥに対して半静的に、動的に、またはそれらの組合せで、レガシ制御信号／チャネルのうちのいくつかを用いた多重化から開始するＰＤＳＣＨ／ＥＰＤＣＣＨのインジケーションを提供し得る。図９は、本開示の１つの態様に従って構成される基地局９００およびＵＥ９０２を図示するブロック図である。信号９０４および９０５と通信する、ＵＥ９０１および９０２に通知するために、ＰＤＳＣＨ／ＥＰＤＣＣＨは、第１のシンボルから開始し、そのデータおよびレガシ制御信号は、同じシンボルにおいて多重化され得、基地局９００はインジケーション９０３を送信する。基地局９００は、インジケーション９０３を９０１に送信する場合に、インジケーション９０３は、ユニキャストであり得る。インジケーション９０３はまた、基地局９００によるブロードキャストであり得る。このような場合、ＵＥ９０１および９０２の両方は、ＰＤＳＣＨ／ＥＰＤＣＣＨが第１のシンボルから開始し、レガシ制御情報と多重化され得ることを、ＵＥ９０１および９０２に識別するインジケーション９０３を受信する。例えば、ＥＰＤＣＣＨについての基地局９００によって送信されたインジケーション９０３は、半静的であり、サブフレーム依存である一方、ＰＤＳＣＨのための基地局９００によって送信されたインジケーション９０３は、動的であり得る（例えば、ＦＤＤにおいて、サブフレーム０／４／５／９は、ＥＰＤＣＣＨが第２のシンボルから開始するために確保されるように示され得る一方、他のサブフレームは、確保されたＥＰＤＣＣＨが第１のシンボルから開始するように示される）。基地局９００がＵＥ９０１または９０２のいずれかに送信するためのデータを有しているとき、それは、ＰＤＳＣＨが第１のシンボルから送信され得ることをＵＥ９０１および９０２に通知する、インジケーション９０３におけるメッセージを動的に含み得る。
【００７５】
[0084]ブロードキャストの態様について、ＰＣＦＩＣＨは、インジケーション９０３として使用され得る。例えば、ＵＥ ９０１のようなＲｅｌ−１２ ＵＥは、インジケーション９０３において確保されたＰＣＦＩＣＨ値をレガシ値とは異なって解釈し得るか、またはＰＤＳＣＨ／ＥＰＤＣＣＨが第１のシンボルから開始し得るかどうかを決定するために確保されたＰＣＦＩＣＨ値を使用し得る。例として、確保されたＰＣＦＩＣＨ値は、インジケーションのために使用され得る。別の例として、既存のＰＣＦＩＣＨ値（例えば、３つの制御シンボル）は、ゼロ制御として再解釈され（re-interpreted）得る。ユニキャストの態様について、ＰＤＳＣＨ開始シンボルに関する、動的なインジケーションの態様でのインジケーション９０３のような動的なインジケーションは、コンパクトなＤＣＩフォーマット１Ａおよびモード依存ＤＣＩフォーマット（例えば、ＤＣＩフォーマット２、ＤＣＩフォーマット２Ｄなど）の両方について達成され得る。しかしながら、時には、ＤＣＩを介する動的なインジケーションが、インジケーション９０３におけるモード依存ＤＣＩフォーマットのみに提供されることが好ましいこともあり得る。ＤＣＩフォーマット１Ａについて、開始シンボルは、依然としてＰＣＦＩＣＨに基づくか、またはＲＲＣベースであり得る。例えば、ＤＣＩを介する動的なインジケーションを実装すると、ＤＣＩフォーマット２／２Ａは、インジケーション９０３におけるＰＤＳＣＨ開始シンボルインジケータとして、１ビットの「コードワードスワッピングフラグへのトランスポートブロック」を再解釈し得る。ビットが０に設定される場合、次にＰＤＳＣＨは、ＰＣＦＩＣＨまたはＲＲＣ構成に続き得る。そうでなければ、ＰＤＳＣＨは、第１のシンボルであるシンボル０から始まり得る。別の例では、ＤＣＩフォーマット２Ｂ／２Ｃは、ＰＤＳＣＨ開始シンボルインジケータとして、１ビットの「スクランブリングアイデンティティ」の再解釈を提供し得る。追加的に、２ビットのＰＱＩ（ＰＤＳＣＨレートマッチング、および擬似コロケーションインジケータ（quasi-co-location indicator））についてのＲＲＣ構成の一部として、ＤＣＩフォーマット２Ｄは、１つまたは複数のＰＱＩ値のためのＲＲＣ構成において、第１のシンボル、シンボル０において、ＰＤＳＣＨ開始のインジケーションを追加し得る。
【００７６】
[0085]同じシンボル内でレガシ制御信号／チャネルとＰＤＳＣＨ／ＥＰＤＣＣＨを多重化することは、レガシ制御信号／チャネルの周囲でレートマッチングされるか、またはレガシ制御信号／チャネルによってパンクチャリングされるか、あるいは、レートマッチングとパンクチャリングとの組合せか、のいずれかでＰＤＳＣＨ／ＥＰＤＣＣＨ送信のために実装され得る。図１０は、本開示の１つの態様に従って構成されるデータ送信の第１のシンボル１０００を図示するブロック図である。シンボル１０００は、送信の１２個のサブキャリアにおいて１２個のＲＥを含み得る。レートマッチングまたはパンクチャリング動作は、ＰＤＳＣＨおよびＥＰＤＣＣＨの両方について同じであり得るか、代替的に、ＰＤＳＣＨおよびＥＰＤＣＣＨとは異なり得る。第１のシンボル１０００によって図示された例では、ＰＤＳＣＨが、ＲＥ １００５、１００６、１００７、および１００８を占有するようにレートマッチングされる一方、ＥＰＤＣＣＨは、ＲＥ １００３および１００４を占有するようにスケジューリングされる。送信の生成中に、Ｒ０およびＲ１のためのＣＲＳは既知のロケーションに置かれる一方、ＰＣＦＩＣＨは、ＲＥ １００１および１００２を占有するようにスケジューリングされる。ＥＰＤＣＣＨがＲＥ １００３および１００４を占有するようにスケジューリングされる一方、ＰＨＩＣＨ送信１００９および１０１０が生じ、ＲＥ １００３および１００４のＥＰＤＣＣＨ送信をパンクチャリングする。
【００７７】
[0086]追加の例示的な態様では、ＰＤＳＣＨ／ＥＰＤＣＣＨのレートマッチングまたはパンクチャリングの決定はまた、レガシチャネル／信号に依存し得る。第１のシンボル１０００によって図示される別の例では、ＰＣＦＩＣＨは、ＲＥ １００１および１００２を占有するようにスケジューリングされる。ダウンリングＰＤＣＣＨに対応するＰＤＳＣＨは、ＲＥ １００３および１００４を占有するようにスケジューリングされる。しかしながら、ＲＥ １００３および１００４のためにスケジューリングされたＰＤＳＣＨは、ＲＥ １００３内のＰＨＩＣＨ、およびＲＥ １００４内の別のＰＤＣＣＨによってパンクチャリングされる。異なるレガシチャネル／信号の差は、レガシチャネル／信号の異なる特性を反映し得る。ＰＣＦＩＣＨの存在およびＰＣＦＩＣＨのＲＥの数は、一般に既知であり、セルによってサービングされる全てのＵＥに対して半静的である。結果として、ＰＣＦＩＣＨ ＲＥの周囲のレートマッチングは、大きさのロスのいずれの増加もなく、ＰＤＳＣＨ／ＥＰＤＣＣＨ復号効率を改善し得る。一方、ＰＨＩＣＨの存在およびセル内のＰＨＩＣＨのＲＥの数は、一般に、動的であり、ＵＥは、ＰＨＩＣＨ ＲＥのサブセットの存在のみを知り得る（例えば、ＵＥがモニタリングするＰＨＩＣＨ ＲＥのみを知る）。結果として、ＰＨＩＣＨ ＲＥのためのパンクチャリングベースの動作は、ＰＤＳＣＨ／ＥＰＤＣＣＨが周囲をレートマッチングするために、ＰＨＩＣＨ ＲＥの数が過大な大きさを示す（over-dimensioning）のを避けるために、より好ましい。レガシ制御領域におけるＰＤＣＣＨ送信について、ＰＤＣＣＨの周囲のレートマッチング動作は、ＰＤＣＣＨスケジューリングの対応するＰＤＳＣＨのために、ＵＥによって行われ得る一方、パンクチャリングベースの動作は、他のＰＤＣＣＨ送信のためにＵＥによって行われ得る。これは、ＵＥが他のＰＤＣＣＨ送信の存在を知らない可能性があるためである。
【００７８】
[0087]例として、セルは、第１のＰＤＣＣＨによってスケジューリングされたＰＤＳＣＨについて、サブフレーム中の第１のＰＤＣＣＨおよび第２のＰＤＣＣＨを送信し得、ＰＤＳＣＨは、第１のＰＤＣＣＨによって使用されるリソースをレートマッチングし得るが、第２のＰＤＣＣＨによってパンクチャリングされる。別の例として、セルは、マルチサブフレームスケジューリングを用い、サブフレーム１ｎ中の第１のＰＤＳＣＨおよびサブフレームｎ２中の第２のＰＤＳＣＨ（ここで、ｎ２≠ｎ１）をスケジューリングする、サブフレームｎ１においてＰＤＣＣＨを送信し、ここで、第１のＰＤＳＣＨは、サブフレームｎ１中のＰＤＣＣＨの周囲でレートマッチングを行うが、サブフレームｎ２中の第２のＰＤＳＣＨは、サブフレームｎ２中のＰＤＣＣＨの周囲でレートマッチングを行わない。さらに別の例として、セルは、クロスサブフレームスケジューリングを用い、それぞれ、サブフレームｎ１内の第１のＰＤＳＣＨおよびサブフレームｎ２内の第２のＰＤＳＣＨ（ここで、ｎ２≠ｎ１）をスケジューリングするために、サブフレームｎ１内の第１のＰＤＣＣＨおよび第２のＰＤＣＣＨを送信する。この場合、第１のＰＤＳＣＨは、サブフレームｎ１中の第１および第２のＰＤＣＣＨの周囲でレートマッチングを行う一方、サブフレームｎ２中の第２のＰＤＳＣＨは、サブフレームｎ２中の任意のＰＤＣＣＨの周囲でレートマッチングを行わない。
【００７９】
[0088]さらなる態様では、レガシ制御領域におけるいくつかのＲＥは、ＰＤＳＣＨ／ＥＰＤＣＣＨを確保することができ、ＰＤＳＣＨ／ＥＰＤＣＣＨを利用不可能にさせる。例えば、シンボル１０００によって図示される、通常はレガシ制御領域において考慮される、ＲＥ １００３および１００４が確保され、ＰＤＳＣＨ／ＥＰＤＣＣＨ送信のためには使用されることができない。これらのＲＥは、共通サーチ空間の関連する動作（例えば、ページング、システム情報ブロードキャスト）によって、部分的に使用され得る。この実装はまた、ＣＣＥ ０／１／２／３などのＲＥを確保し得る。この確保はまた、（例えば、ＦＤＤでのサブフレームにおいてのみ行われる、サブフレーム依存であり得る。別の例では、ＦＤＤにおける他のサブフレームでの確保、またはサブフレーム＃５、＃２５、＃４５における確保が存在しない可能性がある。
【００８０】
[0089]上で参照されるように、ＰＤＣＣＨは、異なるアグリゲーションレベルを使用し得、それはまた、制御オーバーヘッドに影響を与える。さらに考慮すべきことは、ＰＤＣＣＨアグリゲーションレベルの不明確さが存在し得ることである。この不明確さは、ＰＤＳＣＨ／ＥＰＤＣＣＨレートマッチングに影響し得る。ｅＮＢは、ＰＤＣＣＨ送信のためにアグリゲーションレベル１（Ｌ１）を使用し得る。関連するＵＥは、同じアグリゲーションレベルＬ１と仮定すると、成功裏にＰＤＣＣＨを復号し得るが、２つのＰＤＣＣＨ復号候補が同じ開始ＣＣＥインデックスを有するときに、アグリゲーションレベル２（Ｌ２）のような異なるアグリゲーションレベルであると仮定すると、ＰＤＣＣＨもまた成功裏に復号し得る。この開始ＣＣＥインデックスマッチングのシナリオでは、ｅＮＢは、ＰＤＳＣＨ／ＥＰＤＣＣＨ送信をレートマッチングするためにＬ１アグリゲーションレベルのＰＤＣＣＨと仮定し得る。しかしながら、ＵＥにおいて、ＵＥは、ＰＤＳＣＨ／ＥＰＤＣＣＨ応答をレートマッチングするためのＬ２アグリゲーションレベルＰＤＣＣＨと仮定し得る。このマッチングされたアグリゲーションレベルのＰＤＣＣＨがｅＮＢとＵＥとの間で作られる場合、ＰＤＳＣＨ／ＥＰＤＣＣＨ送信は、成功裏に復号され得る。
【００８１】
[0090]この問題を解消するために、インジケーション９０３（図９）のような基地局からのインジケーションは、アグリゲーションレベルがレートマッチングのために使用されることを識別し得る。このようなアグリゲーションレベルのインジケーションを含む、インジケーション９０３のような、互換性のあるインジケーションは、通信規格において定義され得るか、または様々なシグナリング（例えばＲＲＣ、またはＤＣＩの一部分）を通して提供され得る。従って、インジケーション９０３は、例えば、コンパクトなＤＣＩフォーマット（例えば、１Ａ）である場合、アグリゲーションレベル１と仮定し、ＭＩＭＯ ＤＣＩフォーマット（例えば、ＤＣＩフォーマット２Ｄ）である場合、アグリゲーションレベル２と仮定すると、ＤＣＩフォーマットに依存し得る。インジケーション９０３のアグリゲーションレベルのインジケーションは、全てのケースのための（不明確性が存在するかどうかに関わらず）、または不明確性が存在する場合のみのためのものであり得る。ＰＤＣＣＨのための実際のアグリゲーションレベルがＰＤＳＣＨ／ＥＰＤＣＣＨレートマッチングのためのインジケーションされたアグリゲーションレベルより大きい場合、余分なＣＣＥは、パンクチャリングのアプローチに基づき得る（ＰＤＳＣＨ／ＥＰＤＣＣＨがこれらの余分なＣＣＥにマッピングされ得るが、送信は、ＰＤＣＣＨによってパンクチャリングされる）。
【００８２】
[0091]追加的に、同じシンボルにおけるＰＤＳＣＨ／ＥＰＤＣＣＨとレガシ制御チャネル／信号との多重化のイネーブリングまたはディセーブリングはまた、ＥＰＤＣＣＨがＵＥのために構成されるか否かによって決まり得る。例として、同じシンボルにおけるＰＤＳＣＨ／ＥＰＤＣＣＨとレガシ制御チャネル／信号との多重化のイネーブリングは、ＵＥがサブフレームにおいてＥＰＤＣＣＨをモニタリングするように構成されるか否かに関わらず、サブフレームにおいて行われる。代替的に、同じシンボルにおけるＰＤＳＣＨ／ＥＰＤＣＣＨとレガシ制御チャネル／信号との多重化のイネーブリングは、ＵＥがサブフレーム内でＥＰＤＣＣＨをモニタリングするように構成されない場合に、サブフレームにおいて行われる。しかしながら、ＵＥがＥＰＤＣＣＨをモニタリングするように構成されるサブフレームの場合、同じシンボルにおけるＰＤＳＣＨ／ＥＰＤＣＣＨとレガシ制御チャネル／信号との多重化は、サブフレーム中でディセーブルにされ得る。
【００８３】
[0092]追加的に、同じシンボルにおけるＰＤＳＣＨ／ＥＰＤＣＣＨとレガシ制御チャネル／信号との多重化のイネーブリングまたはディセーブリングはまた、マルチサブフレームスケジューリングおよび／またはクロスサブフレームスケジューリングがイネーブルにされる否かによって決まり得る。例として、同じシンボルにおけるＰＤＳＣＨ／ＥＰＤＣＣＨとレガシ制御チャネル／信号との多重化のイネーブリングは、ＵＥがマルチサブフレームまたはクロスサブフレームスケジューリングで構成されるか否かに関わらず、サブフレームにおいて行われる。代替的に、同じシンボルにおけるＰＤＳＣＨ／ＥＰＤＣＣＨとレガシ制御チャネル／信号との多重化のイネーブリングは、マルチサブフレームおよび／またはクロスサブフレーム動作に依存して行われる。例として、ＵＥが同じサブフレーム中のＰＤＣＣＨでＰＤＳＣＨを受信する場合のサブフレームにおいて、同じシンボルにおいてＰＤＳＣＨ／ＥＰＤＣＣＨおよびレガシ制御／信号を多重化することが行われる。しかしながら、異なるサブフレームにおいてＰＤＣＣＨによってスケジューリングされるＰＤＳＣＨをＵＥが送信するサブフレームの場合、同じシンボルにおけるＰＤＳＣＨ／ＥＰＤＣＣＨとレガシ制御チャネル／信号との多重化は、サブフレームにおいてディセーブルにされ、ＰＤＳＣＨは、レガシ制御チャネル／信号の存在がないと仮定し得る。
【００８４】
[0093]当業者は、情報および信号が、様々な異なる技術および技法のいずれかを用いて表されることを理解するだろう。例えば、上記説明の全体にわたって参照され得るデータ、命令、コマンド、情報、信号、ビット、シンボル、およびチップは、電圧、電流、電磁波、磁場または磁性粒子、光場または光粒子、あるいはそれらの任意の組み合わせによって表され得る。
【００８５】
[0094]図７、および８における機能ブロックおよびモジュールは、プロセッサ、電子デバイス、ハードウェアデバイス、電子コンポーネント、論理回路、メモリ、ソフトウェアコード、ファームウェアコードなど、またはそれらの任意の組み合わせを備え得る。
【００８６】
[0095]当業者はさらに、本明細書の開示と関連して説明される様々な例示的な論理ブロック、モジュール、回路、アルゴリズムステップが電子ハードウェア、コンピュータソフトウェア、または両方の組み合わせとして実装され得ることを理解するだろう。ハードウェアおよびソフトウェアのこの互換性を明確に例示するために、様々な例示的なコンポーネント、ブロック、モジュール、回路、およびステップが、一般にそれらの機能の観点から上で説明されている。このような機能が、ハードウェアとして実装されるか、またはソフトウェアとして実装されるかは、特定のアプリケーションおよびシステム全体に課せられている設計制約に依存する。当業者であれば、説明された機能を特定のアプリケーションごとに様々な方法で実装し得るが、このような実装の決定は、本開示の範囲からの逸脱を引き起こすと解釈されるべきではない。当業者はまた、本明細書で説明されるコンポーネント、方法、または相互作用の組合せまたは順序が単に例示のためのものであり、本開示の様々な態様のコンポーネント、方法、または相互作用が、本明細書で例示および説明されたもの以外の方法で組合せられるかまたは行われ得ることを、容易に理解するだろう。
【００８７】
[0096]本明細書の開示に関連して説明される様々な例示的な論理ブロック、モジュール、および回路は、本明細書で説明される機能を行うように設計された汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理デバイス、離散ゲートまたはトランジスタ論理、離散ハードウェアコンポーネント、またはそれらの任意の組み合わせで、実装または行われ得る。汎用プロセッサはマイクロプロセッサであり得るが、代替において、このプロセッサは、任意の従来のプロセッサ、コントローラ、マイクロコントローラ、またはステートマシンであり得る。プロセッサは、また、例えば、ＤＳＰとマクロプロセッサの組み合わせなどのコンピューティングデバイスの組み合わせ、複数のマイクロプロセッサ、ＤＳＰコアに連結した１つまたは複数のマイクロプロセッサ、または任意の他のそのような構成として実装され得る。
【００８８】
[0097]本明細書の開示に関連して示される方法またはアルゴリズムのステップは、直接的にハードウェアに、プロセッサによって実行されるソフトウェアモジュールに、またはこれら二つの組み合わせに統合され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当該技術分野において周知の任意の他の形態の記憶媒体内に存在し得る。例示的な記憶媒体は、プロセッサが記憶媒体から情報を読み出し、記憶媒体に情報を書き込むことができるように、プロセッサに結合される。代替において、記憶媒体は、プロセッサに統合され得る。プロセッサおよび記憶媒体は、ＡＳＩＣに存在し得る。ＡＳＩＣは、ユーザ端末内に存在し得る。代替において、プロセッサおよび記憶媒体は、ユーザ端末内に個別のコンポーネントとして存在し得る。
【００８９】
[0098]１つまたは複数の例示的な設計では、説明された機能は、ハードウェア、ソフトウェア、ファームウェア、またはそれらの任意の組み合わせで実装され得る。ソフトウェアで実装される場合、機能は、１つまたは複数の命令またはコードとして、コンピュータ読取可能媒体に記憶されるか、またはそれによって送信され得るコンピュータ記憶媒体は、汎用または専用コンピュータによってアクセスされることができる任意の利用可能な媒体であり得る。制限されない例として、このようなコンピュータ読取可能媒体は、ＲＡＭ、ＲＯＭ、ＥＥＰＲＯＭ、ＣＤ−ＲＯＭ、または他の光学ディスク記憶装置、磁気ディスク記憶装置または他の磁気記憶デバイス、あるいは、汎用コンピュータまたは専用コンピュータ、あるいは、汎用プロセッサまたは専用プロセッサによってアクセスされることができ、命令またはデータの形態で所望のプログラムコード手段を搬送または記憶するために使用され得る、あらゆる他の媒体を備え得る。また、非一時的な接続は、厳密にはコンピュータ読取可能な媒体の定義の中に含まれ得る。例えば、命令がウェブサイト、サーバ、または同軸ケーブル、光ファイバーケーブル、ツイストペア、またはデジタル加入者ライン（ＤＳＬ）を使用している他の遠隔ソースから送信される場合には、同軸ケーブル、光ファイバーケーブル、ツイストペア、ＤＳＬは、媒体の定義に含まれる。上記の組み合わせもまた、コンピュータ読取可能媒体の範囲内に含まれるべきである。
【００９０】
[0099]本明細書で使用されるように、請求項に含まれる「および／または」という表現は、２つ以上の項目のリストで使用される場合、それ自体によって用いられ得るリスト化された項目のうちのいずれか１つ、またはリスト化された項目のうちの２つ以上のいずれかの組合せが用いられ得ることを意味する。例えば、構成がコンポーネントＡ、Ｂ、および／またはＣを含と説明される際に、その構成は、Ａ単独；Ｂ単独；Ｃ単独；ＡおよびＢの組合せ；ＡおよびＣの組合せ；ＢおよびＣの組合せ；またはＡ、Ｂ、およびＣの組合せを含むことができる。また、本明細書で使用されるように、請求項を含む、「のうちの少なくとも１つ」で始まる項目のリストにおいて使用される「または（or）」は、例えば「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）を意味するような離接的なリスト（disjunctive list）を示す。
【００９１】
[00100]本開示の上記の説明は、当業者が本開示を実施または使用することを可能にするために提供される。本開示に対する様々な変更は、当業者には容易に明らかであり、本明細書で定義された包括的な原理は、本開示の精神または範囲から逸脱することなく他のバリエーションに適用され得る。従って、本開示は、本明細書で説明された例および設計に限定されることが意図されるものではなく、本明細書に開示される原理および新規の特徴と一致する最も広い範囲が付与されるべきものである。
以下に、本願出願の当初の特許請求の範囲に記載された発明を付記する。
［Ｃ１］
ワイヤレス通信の方法であって、
モバイルデバイスにおいて基地局からの送信を受信することと、
前記送信を復号することと
を備え、前記送信は、基地局からのサブフレームの、少なくとも第１のシンボルにおけるデータ送信を含み、前記データ送信は、少なくとも前記第１のシンボルにおいてレガシ制御送信と多重化される、
方法。
［Ｃ２］
前記第１のシンボルは、レガシ制御情報を含み、
前記レガシ制御送信との前記データ送信の前記多重化は、少なくとも前記第１のシンボルにおける前記レガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、Ｃ１に記載の方法。
［Ｃ３］
前記基地局からのインジケーションを受信することをさらに備え、
前記インジケーションは、前記データ送信が前記サブフレームの少なくとも前記第１のシンボルにおいて送られることを識別する、
Ｃ１に記載の方法。
［Ｃ４］
前記インジケーションを前記受信することは、
準静的に、
動的に、または
これらの組み合わせ
のうちの１つで行われる、Ｃ３に記載の方法。
［Ｃ５］
前記データ送信との前記多重化されたレガシ制御送信の生成は、ユニキャストデータ送信についてのみ行われる、
Ｃ１に記載の方法。
［Ｃ６］
前記レガシ制御送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを備える、Ｃ１に記載の方法。
［Ｃ７］
前記データ送信との前記レガシ制御送信の前記多重化は、少なくとも前記第１のシンボルにおいて前記データ送信に関連付けられた１つまたは複数のリソースエレメントをパンクチャリングすることと、前記１つまたは複数のパンクチャリングされたリソースエレメントにおいて前記レガシ制御情報の少なくとも一部分をスケジューリングすることとを備える、
Ｃ１に記載の方法。
［Ｃ８］
前記データ送信との前記レガシ制御送信の前記多重化は、前記レガシ制御情報の少なくとも一部分がスケジューリングされるための少なくとも前記第１のシンボルのリソースエレメントのセットの周囲で前記データ送信をレートマッチングすることを備える、
Ｃ１に記載の方法。
［Ｃ９］
前記データ送信との前記レガシ制御送信の前記多重化は、サブフレームのサブセットについてのみ行われる、
Ｃ８に記載の方法。
［Ｃ１０］
ワイヤレス通信の方法であって、
送信を生成すること、ここにおいて、前記送信は、サブフレームを含み、前記サブフレームの第１の部分は、レガシ制御情報に割り振られ、前記第１の部分は、少なくとも第１のシンボル持続期間を含む、と、
少なくとも前記第１のシンボル持続期間においてデータを多重化すること、ここにおいて、前記データは、レガシ制御情報を含まない、と、
基地局からモバイルデバイスに前記送信を送ることと
を備える、方法。
［Ｃ１１］
前記第１のシンボル持続期間は、レガシ制御情報を含み、
前記多重化することは、前記第１のシンボルにおけるレガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、Ｃ１０に記載の方法。
［Ｃ１２］
前記送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを含む、Ｃ１０に記載の方法。
［Ｃ１３］
前記多重化することは、
前記レガシ制御情報の少なくとも一部分の送信のために、少なくとも前記第１のシンボルにおいて前記データ送信に関連付けられた１つまたは複数のリソースエレメントをパンクチャリングすることを備える、
Ｃ１０に記載の方法。
［Ｃ１４］
前記データ送信を前記送ることは、
前記レガシ制御情報の少なくとも一部分のために確保された前記少なくとも第１のシンボルのリソースエレメントのセットの周囲で前記データ送信をスケジューリングすることを備える、
Ｃ１０に記載の方法。
［Ｃ１５］
前記確保は、サブフレームのサブセットについてのみ行われる、
Ｃ１４に記載の方法。
［Ｃ１６］
前記基地局が、前記モバイルデバイスへのインジケーションを送信することをさらに備え、
前記インジケーションは、前記データ送信が前記サブフレームの前記第１のシンボルにおいて送られることを識別する、Ｃ１０に記載の方法。
［Ｃ１７］
ワイヤレス通信のために構成された装置であって、前記装置は、
少なくとも１つのプロセッサと、
前記少なくとも１つのプロセッサに結合されたメモリと
を備え、前記少なくとも１つのプロセッサは、
モバイルデバイスにおいて基地局からの送信を受信することと、
前記送信を復号することと
を行うように構成され、前記送信は、基地局からのサブフレームの少なくとも第１のシンボルにおけるデータ送信を含み、前記データ送信は、少なくとも前記第１のシンボルにおけるレガシ制御送信と多重化される、
装置。
［Ｃ１８］
前記第１のシンボルは、レガシ制御情報を含み、
前記レガシ制御送信との前記データ送信の前記多重化は、少なくとも前記第１のシンボルにおける前記レガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化することを備える、Ｃ１７に記載の装置。
［Ｃ１９］
前記基地局からのインジケーションを受信するための前記少なくとも１つのプロセッサの構成をさらに備え、前記インジケーションは、前記データ送信が前記サブフレームの少なくとも前記第１のシンボルにおいて送られることを識別する、
Ｃ１７に記載の装置。
［Ｃ２０］
前記インジケーションを受信するための前記少なくとも１つのプロセッサの前記構成は、
準静的に、
動的に、または
これらの組み合わせ
のうちの１つで行われる、Ｃ１９に記載の装置。
［Ｃ２１］
前記データ送信との前記多重化されたレガシ制御送信の生成は、ユニキャストデータ送信についてのみ行われる、
Ｃ１７に記載の装置。
［Ｃ２２］
前記レガシ制御送信は、
物理制御フォーマットインジケータチャネル（ＰＣＦＩＣＨ）、
物理ハイブリッド自動再送要求インジケータチャネル（ＰＨＩＣＨ）、または、
物理ダウンリンク制御チャネル（ＰＤＣＣＨ）
のうちの少なくとも１つを備える、Ｃ１７に記載の装置。
［Ｃ２３］
前記データ送信との前記レガシ制御送信の前記多重化は、少なくとも前記第１のシンボルにおける前記データ送信に関連付けられた１つまたは複数のリソースエレメントをパンクチャリングすることと、前記１つまたは複数のパンクチャリングされたリソースエレメントにおける前記レガシ制御情報の少なくとも一部分をスケジューリングすることとを備える、
Ｃ１７に記載の装置。
［Ｃ２４］
前記データ送信との前記レガシ制御送信の前記多重化は、前記レガシ制御情報の少なくとも一部分がスケジューリングされるための少なくとも前記第１のシンボルのリソースエレメントのセットの周囲で前記データ送信をレートマッチングすることを備える、
Ｃ１７に記載の装置。
［Ｃ２５］
前記データ送信との前記レガシ制御送信の前記多重化は、サブフレームのサブセットについてのみ行われる、
Ｃ２４に記載の装置。
［Ｃ２６］
ワイヤレス通信のために構成された装置であって、前記装置は、
少なくとも１つのプロセッサと、
前記少なくとも１つのプロセッサに結合されたメモリと
を備え、前記少なくとも１つのプロセッサは、
送信を生成すること、ここにおいて、前記送信は、サブフレームを含み、前記サブフレームの第１の部分は、レガシ制御情報に割り振られ、前記第１の部分は、少なくとも第１のシンボル持続期間を含む、と、
少なくとも前記第１のシンボル持続期間においてデータを多重化すること、ここにおいて、前記データは、レガシ制御情報を含まない、と、
基地局からモバイルデバイスに前記送信を送ることと
を行うように構成される、装置。
［Ｃ２７］
前記第１のシンボル持続期間は、レガシ制御情報を含み、
多重化するための前記少なくとも１つのプロセッサの前記構成は、前記第１のシンボルにおけるレガシ制御情報を、
物理ダウンリンク共有チャネル（ＰＤＳＣＨ）、または、
強化された物理ダウンリンク制御チャネル（ＥＰＤＣＣＨ）
のうちの少なくとも１つと多重化するための構成を備える、Ｃ２６に記載の装置。
［Ｃ２８］
多重化するための前記少なくとも１つのプロセッサの前記構成は、前記レガシ制御情報の少なくとも一部分の送信のために、少なくとも前記第１のシンボルにおいて前記データ送信に関連付けられた１つまたは複数のリソースエレメントをパンクチャリングするための構成を備える、
Ｃ２６に記載の装置。
［Ｃ２９］
前記データ送信を送るための前記少なくとも１つのプロセッサの前記構成は、前記レガシ制御情報の少なくとも一部分のために確保された前記少なくとも第１のシンボルのリソースエレメントのセットの周囲で前記データ送信をスケジューリングするための構成を備える、
Ｃ２６に記載の装置。
［Ｃ３０］
前記基地局が、前記モバイルデバイスへのインジケーションを送信するための前記少なくとも１つのプロセッサの構成をさらに備え、前記インジケーションは、前記データ送信が前記サブフレームの前記第１のシンボルにおいて送られることを識別する、
Ｃ２６に記載の装置。
【図１】
0005985786.tif 000002
【図２】
0005985786.tif 000003
【図３】
0005985786.tif 000004
【図４】
0005985786.tif 000005
【図５Ａ】
0005985786.tif 000006
【図５Ｂ】
0005985786.tif 000007
【図６】
0005985786.tif 000008
【図７】
0005985786.tif 000009
【図８】
0005985786.tif 000010
【図９】
0005985786.tif 000011
【図１０】
0005985786.tif 000012